(57)【要約】【課題】貨幣を回収部に送る貨幣送り処理をこまめに行うことにより毎回の貨幣送り処理にかかる時間を短縮することができる貨幣処理機および貨幣処理方法を提供する。【解決手段】貨幣処理機１０の制御部１５は、貨幣の入金処理が行われる際に、各収納繰出部２７、３４に収納されている貨幣の合計金額が記憶部４７に記憶されている残置合計金額よりも多い場合に、各収納繰出部２７、３４に収納されている貨幣の合計金額が記憶部４７に記憶されている残置合計金額と略同一になり、かつ各収納繰出部２７、３４に収納されている貨幣の枚数が記憶部４７に記憶されている金種毎残置枚数に近づくように、投入部（紙幣投入口２１や硬貨投入口３１）または各収納繰出部２７、３４から貨幣収納部４０に貨幣を送る貨幣送り処理を行う。【選択図】図５
2018106536.tif 000002
【特許請求の範囲】
【請求項１】
貨幣を筐体の外部から内部に投入するための投入部と、
貨幣を金種毎に収納するとともに収納されている貨幣を繰出可能な複数の収納繰出部と、
回収されるべき貨幣が各前記収納繰出部から送られる回収部と、
各前記収納繰出部に残置されるべき貨幣の合計金額である残置合計金額および各前記収納繰出部に残置されるべき貨幣の金種毎の枚数である金種毎残置枚数に係る情報を記憶する記憶部と、
貨幣の入金処理が行われる際に、各前記収納繰出部に収納されている貨幣の合計金額が前記記憶部に記憶されている残置合計金額よりも多い場合に、各前記収納繰出部に収納されている貨幣の合計金額が前記記憶部に記憶されている残置合計金額と略同一になり、かつ各前記収納繰出部に収納されている貨幣の枚数が前記記憶部に記憶されている金種毎残置枚数に近づくように、前記投入部または各前記収納繰出部から前記回収部に貨幣を送る貨幣送り処理を行う制御部と、
を備えた、貨幣処理機。
【請求項２】
前記制御部は、前記投入部に投入された貨幣を当該投入部から各前記収納繰出部に送る貨幣の入金処理が完了した後に、各前記収納繰出部に収納されている貨幣の合計金額が前記記憶部に記憶されている残置合計金額よりも多い場合に、各前記収納繰出部から前記回収部に貨幣を送る貨幣送り処理を行うようになっている、請求項１記載の貨幣処理機。
【請求項３】
前記制御部は、前記投入部に投入された貨幣を当該投入部から各前記収納繰出部に送る貨幣の入金処理の途中で、各前記収納繰出部に収納されている貨幣の合計金額が前記記憶部に記憶されている残置合計金額よりも多くなった場合に、前記投入部から前記回収部に貨幣を送る貨幣送り処理を行うようになっている、請求項１記載の貨幣処理機。
【請求項４】
前記制御部は、貨幣の入金処理が行われる際に、各前記収納繰出部に収納されている貨幣の合計金額が前記記憶部に記憶されている残置合計金額よりも多い場合において、金額が小さい金種から順に前記収納繰出部に収納されている貨幣の枚数が前記記憶部に記憶されている金種毎残置枚数よりも多いか否かを判定し、前記収納繰出部に収納されている貨幣の枚数が前記記憶部に記憶されている金種毎残置枚数よりも多いときに当該収納繰出部に対応する金種の貨幣の貨幣送り処理を行う、請求項１乃至３のいずれか一項に記載の貨幣処理機。
【請求項５】
前記制御部は、貨幣の入金処理が行われる際に、各前記収納繰出部に収納されている貨幣の合計金額が前記記憶部に記憶されている残置合計金額よりも多い場合において、ある金種に対応する前記収納繰出部に収納されている貨幣の枚数が前記記憶部に記憶されている金種毎残置枚数よりも少ないときには、各前記収納繰出部に収納されている当該金種の貨幣およびこの金種よりも金額が大きい他の１または複数の金種の貨幣の合計金額が所定金額以上となるように他の１または複数の金種の貨幣の貨幣送り処理を行う、請求項４記載の貨幣処理機。
【請求項６】
前記所定金額は、ある金種およびこの金種よりも金額が大きい他の１または複数の金種について、前記記憶部に記憶されている各金種に対応する金種毎残置枚数と当該金種の金額とを掛けた値である金種毎残置金額の合計値である、請求項５記載の貨幣処理機。
【請求項７】
貨幣を筐体の外部から内部に投入するための投入部と、
貨幣を金種毎に収納するとともに収納されている貨幣を繰出可能な複数の収納繰出部と、
貨幣の入金処理が行われる際に各前記収納繰出部に送られる前の貨幣が一時的に保留される一時保留部と、
回収されるべき貨幣が各前記収納繰出部から送られる回収部と、
各前記収納繰出部に残置されるべき貨幣の合計金額である残置合計金額および各前記収納繰出部に残置されるべき貨幣の金種毎の枚数である金種毎残置枚数に係る情報を記憶する記憶部と、
貨幣の入金処理が行われる際に、各前記収納繰出部に収納されている貨幣の合計金額が前記記憶部に記憶されている残置合計金額よりも多い場合に、各前記収納繰出部に収納されている貨幣の合計金額が前記記憶部に記憶されている残置合計金額と略同一になり、かつ各前記収納繰出部に収納されている貨幣の枚数が前記記憶部に記憶されている金種毎残置枚数に近づくように、前記一時保留部から前記回収部に貨幣を送る貨幣送り処理を行う制御部と、
を備えた、貨幣処理機。
【請求項８】
貨幣を筐体の外部から内部に投入するための投入部、貨幣を金種毎に収納するとともに収納されている貨幣を繰出可能な複数の収納繰出部、および回収されるべき貨幣が各前記収納繰出部から送られる回収部を有する貨幣処理機による貨幣処理方法であって、
各前記収納繰出部に残置されるべき貨幣の合計金額である残置合計金額および各前記収納繰出部に残置されるべき貨幣の金種毎の枚数である金種毎残置枚数に係る情報を記憶部に記憶させておく工程と、
前記投入部に投入された貨幣を当該投入部から各前記収納繰出部に送る貨幣の入金処理を行う工程と、
貨幣の入金処理が行われる際に、各前記収納繰出部に収納されている貨幣の合計金額が前記記憶部に記憶されている残置合計金額よりも多い場合に、各前記収納繰出部に収納されている貨幣の合計金額が前記記憶部に記憶されている残置合計金額と略同一になり、かつ各前記収納繰出部に収納されている貨幣の枚数が前記記憶部に記憶されている金種毎残置枚数に近づくように、前記投入部または各前記収納繰出部から前記回収部に貨幣を送る工程と、
を備えた、貨幣処理方法。
【発明の詳細な説明】
【技術分野】
【０００１】
本発明は、紙幣や硬貨等の貨幣の処理を行う貨幣処理機およびこのような貨幣処理機による貨幣処理方法に関する。
【背景技術】
【０００２】
スーパーマーケットやコンビニエンスストア等の店舗において売上金等の貨幣の入金処理、釣銭準備金等の貨幣の出金処理、および回収業務を行う警送会社等の収集業者へ売上金等の貨幣を引き渡す引渡処理等を行う貨幣処理機が従来から知られている（例えば、特許文献１等参照）。このような貨幣処理機は、警送会社等の収集業者により回収されるべき貨幣が収納される回収部と、筐体の外部から内部に取り込まれた貨幣を一時的に収納するとともに、この収納された貨幣または筐体の外部から内部に取り込まれた貨幣を回収部に送ったり筐体の外部に返却したりするリサイクル処理機構とを備えている。リサイクル処理機構に収納された貨幣（上部の貨幣）と、回収部に収納された貨幣（下部の貨幣）の管理権限は区別されており、前者の管理権限は貨幣処理機に対して入金処理や出金処理を行う店舗側にあり、後者の管理権限は貨幣処理機から紙幣の回収を行う警送会社等の収集業者側にある。また、このような貨幣処理機において、リサイクル処理機構に収納されている貨幣を回収部に送るような引渡処理が行われるようになっており、引渡処理が行われた貨幣の管理権限が店舗側から収集業者側に変更されるようになっている。また、このような貨幣処理機では、当該貨幣処理機の上部の貨幣に対する入金処理、出金処理、引渡処理等の操作や、上部の貨幣の入出金情報や、収納されている貨幣の金種別枚数データまたは合計金額もしくは金種別金額のデータである在高データへのアクセスは店舗側の権限のある操作者のみが行うことができ、一方、貨幣処理機の下部に位置する回収部からの貨幣の回収は警送会社等の収集業者のみが行うことができるようになっている。
【０００３】
また、特許文献２に開示されるような貨幣入出金機では、残置すべき金額分の貨幣を金種毎の収納部に残し、残りの貨幣を回収カセットに送るような定額残置処理が行われるようになっている。このような定額残置処理を行うことにより、釣銭準備金として各収納部に残すべき金額分の貨幣以外の貨幣（具体的には、売上金としての貨幣）を回収カセットに送ることができるため、できるだけ多くの貨幣を回収カセットにより回収することができるようになる。より詳細には、貨幣入出金機が設置される窓口販売システムにおいて、一日の業務終了時などに、貨幣入出金機内の貨幣を回収カセットに回収し、この回収カセットを貨幣入出金機から取り外してバックヤード領域の金庫などに持っていく終了業務を行うようになっており、回収されるべき貨幣を各収納部から回収カセットに送る際に、上述した定額残置処理を行うことができるようになっている。
【先行技術文献】
【特許文献】
【０００４】
【特許文献１】特許第５２９６１９１号
【特許文献２】特開平１１−２１３２１３号公報
【発明の概要】
【発明が解決しようとする課題】
【０００５】
特許文献２に開示される貨幣入出金機では、回収されるべき貨幣を各収納部から回収カセットに送る処理は一日の業務終了時などに行われるため、一日の業務が終了した時点における各収納部に収納される貨幣の量が多い場合には、一日の業務終了時に行われる、回収されるべき貨幣を各収納部から回収カセットに送る処理に時間がかかるという問題がある。
【０００６】
本発明は、このような点を考慮してなされたものであり、貨幣を回収部に送る貨幣送り処理をこまめに行うことができるため毎回の貨幣送り処理にかかる時間を短縮することができる貨幣処理機および貨幣処理方法を提供することを目的とする。
【課題を解決するための手段】
【０００７】
本発明の貨幣処理機は、貨幣を筐体の外部から内部に投入するための投入部と、貨幣を金種毎に収納するとともに収納されている貨幣を繰出可能な複数の収納繰出部と、回収されるべき貨幣が各前記収納繰出部から送られる回収部と、各前記収納繰出部に残置されるべき貨幣の合計金額である残置合計金額および各前記収納繰出部に残置されるべき貨幣の金種毎の枚数である金種毎残置枚数に係る情報を記憶する記憶部と、貨幣の入金処理が行われる際に、各前記収納繰出部に収納されている貨幣の合計金額が前記記憶部に記憶されている残置合計金額よりも多い場合に、各前記収納繰出部に収納されている貨幣の合計金額が前記記憶部に記憶されている残置合計金額と略同一になり、かつ各前記収納繰出部に収納されている貨幣の枚数が前記記憶部に記憶されている金種毎残置枚数に近づくように、前記投入部または各前記収納繰出部から前記回収部に貨幣を送る貨幣送り処理を行う制御部と、を備えたことを特徴とする。
【０００８】
このような貨幣処理機によれば、貨幣の入金処理が行われる度に、所定の残置合計金額の貨幣を各収納繰出部に残し、それ以外の貨幣を回収部に送ることにより、貨幣を回収部に送る貨幣送り処理をこまめに行うことができるため毎回の貨幣送り処理にかかる時間を短縮することができる。
【０００９】
本発明の貨幣処理機においては、前記制御部は、前記投入部に投入された貨幣を当該投入部から各前記収納繰出部に送る貨幣の入金処理が完了した後に、各前記収納繰出部に収納されている貨幣の合計金額が前記記憶部に記憶されている残置合計金額よりも多い場合に、各前記収納繰出部から前記回収部に貨幣を送る貨幣送り処理を行うようになっていてもよい。
【００１０】
あるいは、前記制御部は、前記投入部に投入された貨幣を当該投入部から各前記収納繰出部に送る貨幣の入金処理の途中で、各前記収納繰出部に収納されている貨幣の合計金額が前記記憶部に記憶されている残置合計金額よりも多くなった場合に、前記投入部から前記回収部に貨幣を送る貨幣送り処理を行うようになっていてもよい。
【００１１】
本発明の貨幣処理機においては、前記制御部は、貨幣の入金処理が行われる際に、各前記収納繰出部に収納されている貨幣の合計金額が前記記憶部に記憶されている残置合計金額よりも多い場合において、金額が小さい金種から順に前記収納繰出部に収納されている貨幣の枚数が前記記憶部に記憶されている金種毎残置枚数よりも多いか否かを判定し、前記収納繰出部に収納されている貨幣の枚数が前記記憶部に記憶されている金種毎残置枚数よりも多いときに当該収納繰出部に対応する金種の貨幣の貨幣送り処理を行うようになっていてもよい。
【００１２】
この場合、前記制御部は、貨幣の入金処理が行われる際に、各前記収納繰出部に収納されている貨幣の合計金額が前記記憶部に記憶されている残置合計金額よりも多い場合において、ある金種に対応する前記収納繰出部に収納されている貨幣の枚数が前記記憶部に記憶されている金種毎残置枚数よりも少ないときには、各前記収納繰出部に収納されている当該金種の貨幣およびこの金種よりも金額が大きい他の１または複数の金種の貨幣の合計金額が所定金額以上となるように他の１または複数の金種の貨幣の貨幣送り処理を行うようになっていてもよい。
【００１３】
また、前記所定金額は、ある金種およびこの金種よりも金額が大きい他の１または複数の金種について、前記記憶部に記憶されている各金種に対応する金種毎残置枚数と当該金種の金額とを掛けた値である金種毎残置金額の合計値であってもよい。
【００１４】
本発明の貨幣処理機は、貨幣を筐体の外部から内部に投入するための投入部と、貨幣を金種毎に収納するとともに収納されている貨幣を繰出可能な複数の収納繰出部と、貨幣の入金処理が行われる際に各前記収納繰出部に送られる前の貨幣が一時的に保留される一時保留部と、回収されるべき貨幣が各前記収納繰出部から送られる回収部と、各前記収納繰出部に残置されるべき貨幣の合計金額である残置合計金額および各前記収納繰出部に残置されるべき貨幣の金種毎の枚数である金種毎残置枚数に係る情報を記憶する記憶部と、貨幣の入金処理が行われる際に、各前記収納繰出部に収納されている貨幣の合計金額が前記記憶部に記憶されている残置合計金額よりも多い場合に、各前記収納繰出部に収納されている貨幣の合計金額が前記記憶部に記憶されている残置合計金額と略同一になり、かつ各前記収納繰出部に収納されている貨幣の枚数が前記記憶部に記憶されている金種毎残置枚数に近づくように、前記一時保留部から前記回収部に貨幣を送る貨幣送り処理を行う制御部と、を備えたことを特徴とする。
【００１５】
このような貨幣処理機によれば、貨幣の入金処理が行われる度に、所定の残置合計金額の貨幣を各収納繰出部に残し、それ以外の貨幣を一時保留部から回収部に送ることにより、貨幣を回収部に送る貨幣送り処理をこまめに行うことができるため毎回の貨幣送り処理にかかる時間を短縮することができる。
【００１６】
本発明の貨幣処理方法は、貨幣を筐体の外部から内部に投入するための投入部、貨幣を金種毎に収納するとともに収納されている貨幣を繰出可能な複数の収納繰出部、および回収されるべき貨幣が各前記収納繰出部から送られる回収部を有する貨幣処理機による貨幣処理方法であって、各前記収納繰出部に残置されるべき貨幣の合計金額である残置合計金額および各前記収納繰出部に残置されるべき貨幣の金種毎の枚数である金種毎残置枚数に係る情報を記憶部に記憶させておく工程と、前記投入部に投入された貨幣を当該投入部から各前記収納繰出部に送る貨幣の入金処理を行う工程と、貨幣の入金処理が行われる際に、各前記収納繰出部に収納されている貨幣の合計金額が前記記憶部に記憶されている残置合計金額よりも多い場合に、各前記収納繰出部に収納されている貨幣の合計金額が前記記憶部に記憶されている残置合計金額と略同一になり、かつ各前記収納繰出部に収納されている貨幣の枚数が前記記憶部に記憶されている金種毎残置枚数に近づくように、前記投入部または各前記収納繰出部から前記回収部に貨幣を送る工程と、を備えたことを特徴とする。
【００１７】
このような貨幣処理方法によれば、貨幣の入金処理が行われる度に、所定の残置合計金額の貨幣を各収納繰出部に残し、それ以外の貨幣を回収部に送ることにより、貨幣を回収部に送る貨幣送り処理をこまめに行うことができるため毎回の貨幣送り処理にかかる時間を短縮することができる。
【発明の効果】
【００１８】
本発明の貨幣処理機および貨幣処理方法によれば、貨幣を回収部に送る貨幣送り処理をこまめに行うことにより毎回の貨幣送り処理にかかる時間を短縮することができる。
【図面の簡単な説明】
【００１９】
【図１】本発明の実施の形態による貨幣処理機の外観を示す斜視図である。
【図２】図１に示す貨幣処理機における紙幣処理装置の内部構成の一例を示す構成図である。
【図３】図１に示す貨幣処理機における硬貨処理装置の内部構成の一例を示す構成図である。
【図４】図１に示す貨幣処理機における制御系の構成を示す機能ブロック図である。
【図５】図１に示す貨幣処理機の記憶部に記憶されている、各収納繰出部に残置されるべき貨幣の合計金額である残置合計金額および各収納繰出部に残置されるべき貨幣の金種毎の枚数である金種毎残置枚数に係る情報を示す表である。
【図６】図１に示す貨幣処理機において貨幣送り処理が行われるときの動作を示すフローチャートである。
【図７】図６に示すフローチャートに引き続く、図１に示す貨幣処理機において貨幣送り処理が行われるときの動作を示すフローチャートである。
【図８】本発明の他の構成例に係る貨幣釣銭機およびＰＯＳレジスタの外観を示す斜視図である。
【図９】図８に示す貨幣釣銭機およびＰＯＳレジスタの構成の概略を示す概略構成図である。
【図１０】図８に示す貨幣釣銭機およびＰＯＳレジスタの制御系の構成を示す機能ブロック図である。
【発明を実施するための形態】
【００２０】
以下、図面を参照して本発明の実施の形態について説明する。図１乃至図７は、本実施の形態による貨幣処理機を示す図である。このうち、図１は、本実施の形態による貨幣処理機の外観を示す斜視図であり、図２および図３は、それぞれ、図１に示す貨幣処理機における紙幣処理装置および硬貨処理装置の内部構成を示す構成図である。また、図４は、図１に示す貨幣処理機における制御系の構成を示す機能ブロック図であり、図５は、図１に示す貨幣処理機の記憶部に記憶されている、各収納繰出部に残置されるべき貨幣の合計金額である残置合計金額および各収納繰出部に残置されるべき貨幣の金種毎の枚数である金種毎残置枚数に係る情報を示す表である。また、図６および図７は、図１に示す貨幣処理機において貨幣送り処理が行われるときの動作を示すフローチャートである。
【００２１】
本実施の形態による貨幣処理機は、例えば運送会社の営業所等に設置されるようになっており、例えば朝にこれから配送品の配送を行おうとする複数の配送ドライバーによって当該貨幣処理機から釣銭準備金としての貨幣が出金されるとともに、例えば夕方や夜に物品の配送を終えた配送ドライバーによって新規の配送品の配送料や代金引換等に係る売上金としての貨幣が貨幣処理機に入金されるようになっている。ここで、配送ドライバーは、顧客から新規の配送品の配送料や代金引換としての貨幣を受け取った際に、朝に営業所等で受け取った釣銭準備金としての貨幣の中から釣銭としての貨幣を顧客に返すようになっている。なお、本実施の形態では、各配送ドライバーによって朝に貨幣処理機から釣銭準備金として出金される貨幣の合計金額および金種毎の枚数の構成は予め決められている。また、昼間には、警送会社等の回収業者により貨幣処理機から売上金としての貨幣が回収されるようになっている。このように、本実施の形態による貨幣処理機は、売上金としての貨幣の入金処理や、釣銭準備金等の貨幣の出金処理、および貨幣の回収業務を行う警送会社等の回収業者へ売上金等の貨幣を引き渡す引渡処理等を行うようになっている。
【００２２】
図１に示すように、本実施の形態による貨幣処理機１０は略直方体形状の筐体１１を備えており、この筐体１１の内部には、貨幣処理機１０を前方から見て上部において左右に並ぶよう配置された紙幣処理装置２０および硬貨処理装置３０が設けられている。ここで、紙幣処理装置２０および硬貨処理装置３０は、それぞれ、紙幣や硬貨の入金処理および出金処理を行うようになっている。また、貨幣処理機１０の筐体１１の内部において、紙幣処理装置２０および硬貨処理装置３０の下方には、硬貨および紙幣の収納を行う貨幣収納部４０（回収部）が設けられている。ここで、貨幣処理機１０のうち、紙幣処理装置２０および硬貨処理装置３０は店舗側の管理権限下にあり、貨幣収納部４０は警送会社等の回収業者側の管理権限下にある。
【００２３】
紙幣処理装置２０の構成の詳細について図１および図２を用いて説明する。図２は、図１に示す紙幣処理装置２０の内部構成を右側から見たときの図である。なお、図２における筐体１１の左側の側面が紙幣処理装置２０の前面側（すなわち、紙幣処理装置２０を手前側から見たときの正面側）となっており、図２における右方向が筐体１１の奥行き方向となっている。図１および図２に示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。
【００２４】
紙幣投入口２１は、操作者により１または束状態の複数の紙幣が短手方向に一括して投入されるよう構成されている。図１に示すように、この紙幣投入口２１には紙幣ステージ２８が配設されている。紙幣ステージ２８は、待機時には上昇位置にありこの際には操作者は紙幣投入口２１に紙幣を投入することができず、一方、紙幣の入金処理時や補充処理時には下降して操作者が紙幣投入口２１に紙幣を投入することができるように構成されている。また、図２に示すように、紙幣投入口２１は搬送部２５に接続されており、紙幣投入口２１に投入された１または束状態の複数の紙幣は、１枚ずつ搬送部２５に繰り出されて当該搬送部２５で搬送されるようになっている。また、紙幣リジェクト口２２は、図２に示すように搬送部２５に接続されており、紙幣投入口２１により紙幣処理装置２０内に取り込まれた紙幣のうち後述する識別部２６によりリジェクトすべき紙幣であると識別された紙幣や識別部２６で識別することができなかった紙幣が搬送部２５から送られるようになっている。操作者はこの紙幣リジェクト口２２に送られた紙幣を筐体１１の前面側から取り出すことができるようになっている。
【００２５】
図２に示すように、紙幣返却口２３には、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、扉２４が開いて操作者は紙幣返却口２３から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣回収カセット４１（後述）に送られる場合もある。
【００２６】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図２に示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５には、当該搬送部２５で搬送される紙幣の識別を行う識別部２６が設けられている。この識別部２６は、搬送部２５で搬送される紙幣の金種、真偽、正損、表裏、新旧、搬送状態等を識別するようになっている。識別部２６による紙幣の識別結果は後述する制御部１５に送られるようになっている。
【００２７】
紙幣処理装置２０の内部には、複数（例えば３つ）の収納繰出部２７（２７ａ〜２７ｃ）が横方向に並ぶよう設けられている。ここで、本実施の形態では、各収納繰出部２７（２７ａ〜２７ｃ）は、金種毎に紙幣を収納するようになっている。具体的には、３つの収納繰出部２７のうち一番左側の収納繰出部２７ａには千円紙幣が収納され、左から２番目の収納繰出部２７ｂには二千円紙幣および五千円紙幣が混合状態で収納され、左から３番目の収納繰出部２７ｃには一万円紙幣が収納されるようになっている。図２に示すように、各収納繰出部２７は、正逆両方向に回転可能なドラム２７ｐをそれぞれ有しており、各ドラム２７ｐに帯状のテープが巻き取られるようになっている。搬送部２５から各収納繰出部２７に送られた紙幣は、テープに押さえられた状態で１枚ずつ順次ドラム２７ｐにより巻き取られて収納される。また、ドラム２７ｐを逆転させると、巻き取られた紙幣が１枚ずつ搬送部２５に送られる。このように、各収納繰出部２７は、搬送部２５から送られた紙幣を収納するとともに収納されている紙幣を１枚ずつ搬送部２５に繰出可能となっている。
【００２８】
また、紙幣処理装置２０の内部において搬送部２５には入金一時保留部５０が接続されている。入金一時保留部５０は、搬送部２５から送られた紙幣を収納するとともに収納されている紙幣を搬送部２５に１枚ずつ繰出可能となっている。具体的には、図２に示すように、入金一時保留部５０は、正逆両方向に回転可能なドラム５０ｐをそれぞれ有しており、ドラム５０ｐに帯状のテープが巻き取られるようになっている。搬送部２５から入金一時保留部５０に送られた紙幣は、テープに押さえられた状態で１枚ずつ順次ドラム５０ｐにより巻き取られて収納される。また、ドラム５０ｐを逆転させると、巻き取られた紙幣が１枚ずつ搬送部２５に送られる。このような入金一時保留部５０は、各収納繰出部２７の右隣に配置されている。
【００２９】
紙幣保留部２９は、前述のように紙幣返却口２３に設けられており、図２に示すように搬送部２５に接続されている。この紙幣保留部２９には、紙幣投入口２１に投入された紙幣や、各収納繰出部２７に収納された紙幣が搬送部２５により送られるようになっており、搬送部２５から送られた紙幣を束状態で複数保留することができるようになっている。図２に示すように、紙幣保留部２９には一時保留板２９ａおよび押さえ部材２９ｂが設けられている。ここで、紙幣保留部２９にある紙幣を返却する場合には、前述のように、筐体１１の前面側における扉２４が開いて操作者は紙幣返却口２３から紙幣を取り出すことができるようになっている。扉２４は、紙幣の取り出しが可能な状態になれば、自動的に開くようになっている。また、紙幣保留部２９に紙幣が保留される際に、紙幣は一時保留板２９ａに載せられるようになっており、紙幣保留部２９にある紙幣を紙幣回収カセット４１に収納させる際には、この紙幣回収カセット４１に設けられたステージ４１ａが紙幣保留部２９の一時保留板２９ａに載せられた紙幣を迎えにいき、一時保留板２９ａが図２の矢印方向に退避することにより紙幣をステージ４１ａ上に載せて紙幣保留部２９から紙幣回収カセット４１へ下降し、そしてステージ４１ａ上の紙幣を上から押さえ部材２９ｂで押さえて紙幣回収カセット４１へ収納するようになっている。
【００３０】
次に、硬貨処理装置３０の構成について図１および図３を用いて説明する。図３は、図１に示す硬貨処理装置３０の内部構成を右側から見たときの図である。なお、図３における筐体１１の左側の側面が硬貨処理装置３０の前面側（すなわち、硬貨処理装置３０を手前側から見たときの正面側）となっており、図３における右方向が筐体１１の奥行き方向となっている。
【００３１】
図１および図３に示すように、硬貨処理装置３０は、当該硬貨処理装置３０内への硬貨の取り込みを行う硬貨投入口３１と、硬貨投入口３１により硬貨処理装置３０内へ取り込まれた硬貨を１枚ずつ繰り出す硬貨繰出部３３と、硬貨繰出部３３により繰り出された硬貨を硬貨処理装置３０内で１枚ずつ搬送する搬送部３５と、硬貨処理装置３０内に取り込まれた硬貨のうち偽貨や識別不能な硬貨等のリジェクトを行う硬貨リジェクト口３２とを備えている。
【００３２】
硬貨投入口３１は、操作者により１または複数の硬貨が一括して投入されるよう構成されている。また、図１に示すように、硬貨投入口３１には、当該硬貨投入口３１の開閉を行う開閉部材としてシャッタ３１ａが設けられており、シャッタ３１ａにより硬貨投入口３１が開かれた場合においてのみ当該硬貨投入口３１に硬貨を投入することができるようになっている。また、硬貨投入口３１の下方には、ホッパ等から構成される硬貨繰出部３３が設けられており、硬貨投入口３１に投入された硬貨は自重により落下して硬貨繰出部３３に貯留されるようになっている。また、硬貨繰出部３３は、当該硬貨繰出部３３に貯留されている硬貨を１枚ずつ搬送部３５に繰り出すようになっている。
【００３３】
搬送部３５は、硬貨繰出部３３から繰り出された硬貨を１枚ずつ図３における右方向に搬送するようになっている。また、搬送部３５には、上流側から順に、搬送部３５で搬送される硬貨の識別を行う識別部３５ａ、識別部３５ａにより偽貨や識別不能な硬貨等であると識別された硬貨を選別するリジェクト選別部３５ｂ、識別部３５ａにより識別された硬貨の金種に対応する、後述する収納繰出部３４がフル状態またはニアフル状態である場合に当該硬貨を選別するオーバーフロー選別部３５ｃ、および硬貨を金種毎に選別する選別部３６がそれぞれ設けられている。識別部３５ａは、搬送部３５で搬送される硬貨の金種、真偽、正損、表裏、新旧、搬送状態等を識別するようになっている。識別部３５ａによる硬貨の識別結果は後述する制御部１５に送られるようになっている。また、リジェクト選別部３５ｂは、識別部３５ａにより偽貨や識別不能な硬貨等であると識別された硬貨を搬送部３５から選別し、この選別された硬貨を硬貨リジェクト口３２に送るようになっている。また、オーバーフロー選別部３５ｃは、識別部３５ａにより識別された硬貨の金種に対応する、後述する収納繰出部３４がフル状態またはニアフル状態である場合に当該硬貨を搬送部３５から選別し、この選別された硬貨を出金一時保留部３７（後述）に直接送るようになっている。また、選別部３６は、識別部３５ａにより識別された硬貨の金種に基づいて、搬送部３５から硬貨を金種毎に選別して後述する各収納繰出部３４に金種毎に送るようになっている。
【００３４】
また、搬送部３５におけるリジェクト選別部３５ｂとオーバーフロー選別部３５ｃとの間の箇所には、硬貨を一時的に保留する入金一時保留部５２が接続されている。入金一時保留部５２には、搬送部３５においてリジェクト選別部３５ｂを通過した硬貨が当該搬送部３５から送られるようになっている。また、入金一時保留部５２には硬貨を１枚ずつ当該入金一時保留部５２から搬送部３５に繰り出す硬貨繰出機構（図示せず）が設けられており、入金一時保留部５２から硬貨繰出機構により搬送部３５に硬貨が繰り出されるようになっている。
【００３５】
硬貨処理装置３０の内部には、複数（例えば６つ）の収納繰出部３４が並列に設けられている。各収納繰出部３４には、選別部３６により搬送部３５から選別された硬貨が収納されるようになっている。また、各収納繰出部３４における硬貨収納領域の底部には繰出ベルト等の繰出部が設けられており、各収納繰出部３４に収納されている硬貨は繰出部により１枚ずつ後述する出金搬送部３４ａに繰り出されるようになっている。このように、各収納繰出部３４は、硬貨を金種毎に収納するとともに収納されている硬貨を繰り出す収納繰出部として機能するようになる。各収納繰出部３４から繰り出された硬貨は出金搬送部３４ａにより後述する出金一時保留部３７に送られるようになっている。
【００３６】
出金一時保留部３７は、図３において実線で示すような保留位置と、保留位置から図３において左側に移動した位置である出金位置（図３において二点鎖線で表示）と、保留位置から図３において右側に移動した位置である引渡位置（図３において二点鎖線で表示）との間で水平方向に移動可能となっている。なお、通常時は出金一時保留部３７は保留位置で待機するようになっている。出金一時保留部３７が保留位置で待機しているときには、オーバーフロー選別部３５ｃにより搬送部３５から選別された硬貨や、各収納繰出部３４から繰り出された硬貨が出金一時保留部３７に送られ、この出金一時保留部３７に一時的に保留されるようになる。また、筐体１１の前面側には硬貨返却口３８が設けられており、この硬貨返却口３８には開閉可能な扉３８ａ（図１参照）が設けられている。ここで、出金一時保留部３７が保留位置から出金位置に移動すると、出金一時保留部３７の底部が開かれることによりこの出金一時保留部３７に保留されている硬貨が硬貨返却口３８に送られ、当該硬貨返却口３８に硬貨が集積されるようになる。また、出金一時保留部３７に保留されている硬貨が硬貨返却口３８に送られると、扉３８ａが自動的に開くようになり、このことにより操作者は硬貨返却口３８から硬貨を取り出すことができるようになる。また、出金一時保留部３７の引渡位置の下方には収納シュート３９が設けられており、出金一時保留部３７が保留位置から引渡位置に移動すると、出金一時保留部３７の底部が開かれることによりこの出金一時保留部３７に保留されている硬貨が収納シュート３９に送られ、収納シュート３９により硬貨が貨幣収納部４０内に配置された硬貨回収カセット４２（後述）に送られるようになっている。
【００３７】
次に、貨幣収納部４０（回収部）の構成について図１乃至図３を用いて説明する。図１に示すように、貨幣収納部４０は、貨幣処理機１０の筐体１１の下部に設けられている。この貨幣収納部４０は、図２および図３に示すように、紙幣を収納する紙幣回収カセット４１および硬貨を収納する硬貨回収カセット４２を有している。紙幣回収カセット４１には、紙幣処理装置２０の紙幣保留部２９に保留された紙幣が収納されるようになっている（図２参照）。一方、硬貨回収カセット４２には、出金一時保留部３７から収納シュート３９に送られた硬貨が収納されるようになっている（図３参照）。また、回収業者の収集特定者によって、貨幣収納部４０が筐体１１の前面側へ引き出され、この収集特定者が各カセット４１、４２自体を貨幣収納部４０から回収するようになっている。
【００３８】
紙幣回収カセット４１の上面にはシャッタ（図示せず）が設けられている。紙幣回収カセット４１が貨幣収納部４０に収容された状態でこの貨幣収納部４０が筐体１１内にセットされた後、特定の処理を行うときに、図示しない駆動装置によって駆動されてシャッタは開いた状態となる。具体的には例えば、紙幣の引渡処理が行われるときにはシャッタが開いた状態となっており、紙幣保留部２９から紙幣回収カセット４１に紙幣を送ることができる。引渡処理が終了すると、シャッタは閉じた状態となる。一方、貨幣収納部４０が筐体１１から引き出されるときには、シャッタは必ず閉じた状態となる。また、紙幣回収カセット４１は錠を備えた図示しない扉を有しており、鍵を持つ特定の権限を有する者でないと扉の錠を開くことができないようになっている。また、紙幣回収カセット４１において、紙幣がステージ４１ａ上に積層状態で集積されるようになっている。ここで、ステージ４１ａは図２における上下方向に移動可能となっており、ステージ４１ａ上に紙幣が集積される度に、当該ステージ４１ａの位置が下降するようになっている。
【００３９】
また、硬貨回収カセット４２の上面にもシャッタ（図示せず）が設けられている。硬貨回収カセット４２が貨幣収納部４０に収容された状態でこの貨幣収納部４０が筐体１１内にセットされたときに、シャッタは開いた状態となる。このため、硬貨の引渡処理が行われるときにはシャッタが開いた状態となっており、出金一時保留部３７から収納シュート３９を介して硬貨回収カセット４２に硬貨を送ることができる。一方、貨幣収納部４０が筐体１１から引き出されたときには、シャッタは閉じた状態となる。また、硬貨回収カセット４２は錠を備えた図示しない扉を有しており、鍵を持つ特定の権限を有する者でないと扉の錠を開くことができないようになっている。
【００４０】
ここで、前述のように、紙幣処理装置２０や硬貨処理装置３０は店舗側に管理権限がある。このため、紙幣処理装置２０における収納繰出部２７や、硬貨処理装置３０における収納繰出部３４にある紙幣や硬貨に対する様々な処理や、この紙幣や硬貨の入出金情報や在高データへのアクセスは店舗側の権限のある操作者のみが行うことができる。一方、貨幣収納部４０は回収業者側に管理権限があるため、貨幣収納部４０にある紙幣や硬貨の回収は回収業者の収集特定者のみが行うことができるようになっている。
【００４１】
次に、貨幣処理機１０に設けられた他の様々な機構について説明する。図１に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００４２】
また、筐体１１の前面には、貨幣処理機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっている。
【００４３】
次に、貨幣処理機１０における各構成部材の制御を行う制御部１５について図４を用いて説明する。制御部１５は貨幣処理機１０の筐体１１内に設置されている。
【００４４】
図４に示すように、制御部１５には、紙幣処理装置２０の各構成部材（例えば、搬送部２５、識別部２６、収納繰出部２７、紙幣ステージ２８、紙幣保留部２９、入金一時保留部５０等）、硬貨処理装置３０の各構成部材（例えば、硬貨繰出部３３、搬送部３５、識別部３５ａ、選別部３６、収納繰出部３４、入金一時保留部５２、出金一時保留部３７等）、貨幣収納部４０、プリンタ４３、表示部４４、操作部４５、カードリーダ４６、記憶部４７、通信インターフェース部４８等が接続されている。
【００４５】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。
【００４６】
また、制御部１５は、貨幣処理機１０の操作が行われる際は操作部４５やカードリーダ４６から入力された操作者のＩＤ情報等をもとに操作者の権限の確認を行うようになっている。また、制御部１５は、紙幣処理装置２０や硬貨処理装置３０の各構成部材を制御したり、表示部４４、プリンタ４３等を制御したりするようになっている。
【００４７】
また、制御部１５は、通信インターフェース部４８を介して上位端末等の外部装置に対して信号の送受信を行うようになっている。
【００４８】
記憶部４７には、紙幣処理装置２０の各収納繰出部２７や硬貨処理装置３０の各収納繰出部３４に収納されている紙幣や硬貨の金種毎の枚数や合計金額等の情報（すなわち、在高情報）が記憶されるようになっている。また、記憶部４７には、紙幣処理装置２０における紙幣の処理内容や、硬貨処理装置３０における硬貨の処理内容に係る情報が処理履歴として記憶されるようになっている。また、本実施の形態では、記憶部４７には、各収納繰出部２７、３４に収納されている貨幣の合計金額である残置合計金額および各収納繰出部２７、３４に残置されるべき貨幣の金種毎の枚数である金種毎残置枚数に係る情報が記憶されるようになっている。記憶部４７に記憶されている、各収納繰出部２７、３４に収納されている貨幣の合計金額である残置合計金額および各収納繰出部２７、３４に残置されるべき貨幣の金種毎の枚数である金種毎残置枚数に係る情報について図５を用いて説明する。
【００４９】
上述したように、各配送ドライバーによって朝に貨幣処理機１０から釣銭準備金として出金される貨幣の合計金額および金種毎の枚数の構成は予め決められている。具体的には、一人の配送ドライバーにつき、釣銭準備金として例えば千円紙幣７枚、５００円硬貨３枚、１００円硬貨１２枚、５０円硬貨３枚、１０円硬貨１３枚、５円硬貨３枚および１円硬貨５枚から構成される合計１万円の貨幣が貨幣処理機１０から出金されるようになっている。ここで、貨幣処理機１０が設置される営業所において毎朝例えば１０人の配送ドライバーが貨幣処理機１０から釣銭準備金としての貨幣を出金する場合には、各配送ドライバーにより貨幣処理機１０から貨幣が出金される前に、合計１０万円の貨幣を各収納繰出部２７、３４に残置しておかなければならない。また、紙幣処理装置２０における千円紙幣が収納される収納繰出部２７には７０枚の千円紙幣を残置しておく必要があり、また、硬貨処理装置３０における各収納繰出部３４には３０枚の５００円硬貨、１２０枚の１００円硬貨、３０枚の５０円硬貨、１３０枚の１０円硬貨、３０枚の５円硬貨および５０枚の１円硬貨をそれぞれ残置しておく必要がある。図５に示す表には、このような各収納繰出部２７、３４に収納されている貨幣の合計金額である残置合計金額（すなわち、１０万円）および各収納繰出部２７、３４に残置されるべき貨幣の金種毎の枚数である金種毎残置枚数に係る情報が示されており、このような情報が記憶部４７に記憶されるようになっている。また、図５に示す表における「金種毎残置金額」とは、同じ列の左端欄の金種の金額と、この金種に対応する金種毎残置枚数とを掛けた値のことをいい、また、「累計残置金額」とは、同じ列の左端欄の金種およびこの金種よりも金額が小さい他の全ての金種に対応する金種毎残置金額の合計値のことをいう。すなわち、例えば１０円硬貨に係る累計残置金額は、１円×５０枚＋５円×３０枚＋１０円×１３０枚＝１，５００円となる。
【００５０】
また、記憶部４７に記憶されている、各収納繰出部２７、３４に収納されている貨幣の合計金額である残置合計金額や各収納繰出部２７、３４に残置されるべき貨幣の金種毎の枚数である金種毎残置枚数は、操作者が操作部４５により変更することができるようになっている。例えば、貨幣処理機１０から釣銭準備金としての貨幣を出金したり売上金としての貨幣を入金したりする配送ドライバーの人数が変わった場合には、当該貨幣処理機１０が設置される営業所の管理者等が操作部４５により配送ドライバーの人数を変更することにより、記憶部４７に記憶されている、各収納繰出部２７、３４に収納されている貨幣の合計金額である残置合計金額や各収納繰出部２７、３４に残置されるべき貨幣の金種毎の枚数である金種毎残置枚数も変更されるようになる。
【００５１】
次に、このような構成からなる貨幣処理機１０の動作について説明する。本実施の形態では、貨幣処理機１０において、紙幣や硬貨の入金処理、出金処理、補充処理、回収処理、引渡処理等を行うことができるようになっている。なお、以下に示すような貨幣処理機１０の動作は、制御部１５が紙幣処理装置２０や硬貨処理装置３０の各構成部材を制御することによって行われるようになっている。
【００５２】
まず、紙幣や硬貨の入金処理について簡単に説明する。貨幣処理機１０において紙幣や硬貨の入金処理を行うにあたり、操作者が紙幣処理装置２０の紙幣投入口２１に紙幣を投入したり硬貨処理装置３０の硬貨投入口３１に硬貨を投入したりすると、筐体１１の内部に投入された紙幣や硬貨は識別部２６、３５ａにより識別された後に各収納繰出部２７や各収納繰出部３４に金種毎に収納される。より詳細には、筐体１１の内部に投入された紙幣や硬貨は識別部２６、３５ａにより識別された後に各入金一時保留部５０、５２に一時的に保留される。その後、操作者が操作部４５により入金確定の指令を入力すると、各入金一時保留部５０、５２から各収納繰出部２７や各収納繰出部３４に紙幣や硬貨が送られるようになる。一方、各入金一時保留部５０、５２に紙幣や硬貨が一時的に保留された後、操作者が操作部４５により入金確定ではなく返却の指令を入力すると、各入金一時保留部５０、５２から紙幣返却口２３や硬貨返却口３８に紙幣や硬貨が送られるようになる。
【００５３】
次に、紙幣や硬貨の出金処理について簡単に説明する。貨幣処理機１０において紙幣や硬貨の出金処理を行うにあたり、操作者が出金されるべき紙幣や硬貨の金種毎の枚数や合計金額等を操作部４５により入力すると、紙幣処理装置２０の各収納繰出部２７に収納されている紙幣が当該収納繰出部２７から繰り出されて紙幣返却口２３に送られたり、硬貨処理装置３０の各収納繰出部３４に収納されている硬貨が当該収納繰出部３４から繰り出されて出金一時保留部３７に保留された後に硬貨返却口３８に送られたりする。このことにより、操作者は出金されるべき紙幣や硬貨を紙幣返却口２３や硬貨返却口３８から筐体１１の外部に取り出すことができるようになる。
【００５４】
次に、紙幣や硬貨の補充処理について簡単に説明する。紙幣や硬貨の補充処理とは、紙幣を金種毎に紙幣処理装置２０の各収納繰出部２７に補充したり、硬貨を金種毎に硬貨処理装置３０の各収納繰出部３４に補充したりする処理のことをいう。貨幣処理機１０において紙幣や硬貨の補充処理を行うにあたり、操作者が紙幣処理装置２０の紙幣投入口２１に紙幣を投入したり硬貨処理装置３０の硬貨投入口３１に硬貨を投入したりすると、筐体１１の内部に投入された紙幣や硬貨は識別部２６、３５ａにより識別された後に各収納繰出部２７や各収納繰出部３４に金種毎に収納される。
【００５５】
次に、紙幣や硬貨の回収処理について簡単に説明する。回収業者の収集特定者により操作部４５を介して回収処理の指令が制御部１５に送られたときに、制御部１５は貨幣収納部４０の扉のロックを解除し、紙幣回収カセット４１や硬貨回収カセット４２を取り出し可能とする。回収業者の収集特定者が、各カセットを取り出して代わりの空のカセットと交換して扉を閉じると、回収された紙幣や硬貨の金種毎の枚数または合計金額もしくは金種毎の金額のデータである回収データが通信インターフェース部４８により外部装置（具体的には、回収業者の管理センターに設置されているコンピュータ等）に送信される。
【００５６】
次に、紙幣や硬貨の引渡処理について簡単に説明する。ここで、紙幣や硬貨の引渡処理とは、紙幣処理装置２０の各収納繰出部２７に収納されている紙幣を貨幣収納部４０の紙幣回収カセット４１に送ったり、硬貨処理装置３０の各収納繰出部３４に収納されている硬貨を貨幣収納部４０の硬貨回収カセット４２に送ったりする処理のことをいう。上述したように、貨幣収納部４０の管理権限が回収業者側に設定されているため、各収納繰出部２７や各収納繰出部３４から貨幣収納部４０に送られた紙幣や硬貨の管理権限が店舗側の管理権限下から回収業者側の管理権限下に変更される。そして、収納繰出部２７や収納繰出部３４の在高は、引渡処理が行われた紙幣や硬貨の金額や金種毎の枚数である貨幣引渡量分だけ減少し、一方、貨幣収納部４０の在高は、引渡処理が行われた紙幣や硬貨の金額や金種毎の枚数である貨幣引渡量分だけ増加する。貨幣引渡量は、日時や操作者ＩＤ等とともに引渡データとして記憶部４７に記憶される。
【００５７】
また、本実施の形態の貨幣処理機１０では、紙幣や硬貨の入金処理が行われる際に、各収納繰出部２７、３４に収納されている紙幣や硬貨の合計金額が記憶部４７に記憶されている残置合計金額よりも多い場合に、上述した紙幣や硬貨の引渡処理が引き続き行われるようになっている。このような動作について図６および図７に示すフローチャートを用いて説明する。
【００５８】
本実施の形態の貨幣処理機１０において、紙幣投入口２１や硬貨投入口３１に投入された紙幣や硬貨を各収納繰出部２７、３４に送るような紙幣や硬貨の入金処理が完了した後に、各収納繰出部２７、３４に収納されている紙幣や硬貨の合計金額が記憶部４７に記憶されている残置合計金額よりも多いか否かが制御部１５により判断される（ＳＴＥＰ１）。ここで、各収納繰出部２７、３４に収納されている紙幣や硬貨の合計金額が記憶部４７に記憶されている残置合計金額以下であると制御部１５により判断された場合には（ＳＴＥＰ１の「ＮＯ」）、紙幣や硬貨の引渡処理が行われず、貨幣処理機１０は待機状態となる。一方、各収納繰出部２７、３４に収納されている紙幣や硬貨の合計金額が記憶部４７に記憶されている残置合計金額より多いと制御部１５により判断された場合には（ＳＴＥＰ１の「ＹＥＳ」）、紙幣や硬貨の引渡処理が行われるようになる。
【００５９】
具体的には、まず、収納繰出部３４に収納されている１円硬貨の枚数が記憶部４７に記憶されている１円硬貨の金種毎残置枚数（すなわち、５０枚）よりも多いか否かが制御部１５により判断される（ＳＴＥＰ２）。収納繰出部３４に収納されている１円硬貨の枚数が５０枚以下であると制御部１５により判断された場合には（ＳＴＥＰ２の「ＮＯ」）、１円硬貨については引渡処理を行わない。一方、収納繰出部３４に収納されている１円硬貨の枚数が５０枚よりも多いと制御部１５により判断された場合には（ＳＴＥＰ２の「ＹＥＳ」）、５０枚の１円硬貨を収納繰出部３４に残してそれ以外の１円硬貨を貨幣収納部４０の硬貨回収カセット４２に送る（ＳＴＥＰ３）。具体的には、収納繰出部３４に収納されている１円硬貨の枚数が例えば７０枚であった場合には、５０枚の１円硬貨を収納繰出部３４に残して２０枚の１円硬貨を貨幣収納部４０の硬貨回収カセット４２に送るようにする。なお、５０枚の１円硬貨を収納繰出部３４に残してそれ以外の１円硬貨を全て貨幣収納部４０の硬貨回収カセット４２に送ったときに各収納繰出部２７、３４に収納されている紙幣や硬貨の合計金額が記憶部４７に記憶されている残置合計金額よりも少なくなってしまう場合には、各収納繰出部２７、３４に収納されている紙幣や硬貨の合計金額が記憶部４７に記憶されている残置合計金額と同じになるような枚数の１円硬貨を収納繰出部３４から貨幣収納部４０の硬貨回収カセット４２に送るようにする。すなわち、収納繰出部３４に収納されている１円硬貨の枚数が例えば７０枚であるが、各収納繰出部２７、３４に収納されている紙幣や硬貨の合計金額が例えば１００，０１０円である場合には、６０枚の１円硬貨を収納繰出部３４に残して１０枚の１円硬貨を貨幣収納部４０の硬貨回収カセット４２に送るようにする。それより多くの１円硬貨を貨幣収納部４０の硬貨回収カセット４２に送った場合には、各収納繰出部２７、３４に収納されている紙幣や硬貨の合計金額が記憶部４７に記憶されている残置合計金額よりも少なくなってしまうからである。
【００６０】
次に、収納繰出部３４に収納されている５円硬貨の枚数が記憶部４７に記憶されている５円硬貨の金種毎残置枚数（すなわち、３０枚）よりも多いか否かが制御部１５により判断される（ＳＴＥＰ４）。収納繰出部３４に収納されている５円硬貨の枚数が３０枚以下であると制御部１５により判断された場合には（ＳＴＥＰ４の「ＮＯ」）、５円硬貨については引渡処理を行わない。一方、収納繰出部３４に収納されている５円硬貨の枚数が３０枚よりも多いと制御部１５により判断された場合には（ＳＴＥＰ４の「ＹＥＳ」）、各収納繰出部３４に収納されている１円硬貨および５円硬貨の合計金額が記憶部４７に記憶されている５円硬貨の累計残置金額（すなわち、２００円）以上となるように、所定枚数の５円硬貨を各収納繰出部３４に残してそれ以外の５円硬貨を貨幣収納部４０の硬貨回収カセット４２に送る（ＳＴＥＰ５）。より詳細には、収納繰出部３４に収納されている１円硬貨の枚数が金種毎残置枚数（すなわち、５０枚）である場合には、３０枚（金種毎残置枚数）の５円硬貨を収納繰出部３４に残してそれ以外の５円硬貨を貨幣収納部４０の硬貨回収カセット４２に送るようにする。一方、収納繰出部３４に収納されている１円硬貨の枚数が金種毎残置枚数よりも少ない場合には、３１枚以上の５円硬貨を収納繰出部３４に残してそれ以外の５円硬貨を貨幣収納部４０の硬貨回収カセット４２に送るようになる。この場合には、１円硬貨については収納繰出部３４に収納されている枚数が金種毎残置枚数よりも少なくなるが、各収納繰出部３４に収納されている１円硬貨および５円硬貨の合計金額が、１円硬貨および５円硬貨の各々の金種毎残置金額の合計値以上となるため、貨幣処理機１０から釣銭準備金としての貨幣が出金される際に、ある配送ドライバーについて５枚の１円硬貨の代わりに１枚の５円硬貨を払い出すことができ、よって配送ドライバーに渡される釣銭準備金としての貨幣の合計金額が１万円よりも少なくなってしまうことを防止することができる。また、上述した所定枚数の５円硬貨を収納繰出部３４に残してそれ以外の５円硬貨を全て貨幣収納部４０の硬貨回収カセット４２に送ったときに各収納繰出部２７、３４に収納されている紙幣や硬貨の合計金額が記憶部４７に記憶されている残置合計金額よりも少なくなってしまう場合には、各収納繰出部２７、３４に収納されている紙幣や硬貨の合計金額が記憶部４７に記憶されている残置合計金額と同じかこの残置合計金額をわずかに上回るようになるような枚数（０枚を含む）の５円硬貨を収納繰出部３４から貨幣収納部４０の硬貨回収カセット４２に送るようにする。
【００６１】
次に、収納繰出部３４に収納されている１０円硬貨の枚数が記憶部４７に記憶されている１０円硬貨の金種毎残置枚数（すなわち、１３０枚）よりも多いか否かが制御部１５により判断される（ＳＴＥＰ６）。収納繰出部３４に収納されている１０円硬貨の枚数が１３０枚以下であると制御部１５により判断された場合には（ＳＴＥＰ６の「ＮＯ」）、１０円硬貨については引渡処理を行わない。一方、収納繰出部３４に収納されている１０円硬貨の枚数が１３０枚よりも多いと制御部１５により判断された場合には（ＳＴＥＰ６の「ＹＥＳ」）、各収納繰出部３４に収納されている１円硬貨、５円硬貨および１０円硬貨の合計金額が記憶部４７に記憶されている１０円硬貨の累計残置金額（すなわち、１，５００円）以上となるように、所定枚数の１０円硬貨を各収納繰出部３４に残してそれ以外の１０円硬貨を貨幣収納部４０の硬貨回収カセット４２に送る（ＳＴＥＰ７）。より詳細には、収納繰出部３４に収納されている１円硬貨および５円硬貨の枚数がそれぞれ金種毎残置枚数である場合には、１３０枚（金種毎残置枚数）の１０円硬貨を収納繰出部３４に残してそれ以外の１０円硬貨を貨幣収納部４０の硬貨回収カセット４２に送るようにする。一方、収納繰出部３４に収納されている１円硬貨および５円硬貨のうち少なくともいずれかの枚数が金種毎残置枚数よりも少ない場合には、１３１枚以上の１０円硬貨を収納繰出部３４に残してそれ以外の１０円硬貨を貨幣収納部４０の硬貨回収カセット４２に送るようになる。この場合には、１円硬貨および５円硬貨のいずれかについては収納繰出部３４に収納されている枚数が金種毎残置枚数よりも少なくなるが、各収納繰出部３４に収納されている１円硬貨、５円硬貨および１０円硬貨の合計金額が、１円硬貨、５円硬貨および１０円硬貨の各々の金種毎残置金額の合計値以上となる。また、上述した所定枚数の１０円硬貨を収納繰出部３４に残してそれ以外の１０円硬貨を全て貨幣収納部４０の硬貨回収カセット４２に送ったときに各収納繰出部２７、３４に収納されている紙幣や硬貨の合計金額が記憶部４７に記憶されている残置合計金額よりも少なくなってしまう場合には、各収納繰出部２７、３４に収納されている紙幣や硬貨の合計金額が記憶部４７に記憶されている残置合計金額と同じかこの残置合計金額をわずかに上回るようになるような枚数（０枚を含む）の１０円硬貨を収納繰出部３４から貨幣収納部４０の硬貨回収カセット４２に送るようにする。
【００６２】
次に、収納繰出部３４に収納されている５０円硬貨の枚数が記憶部４７に記憶されている５０円硬貨の金種毎残置枚数（すなわち、３０枚）よりも多いか否かが制御部１５により判断される（ＳＴＥＰ８）。収納繰出部３４に収納されている５０円硬貨の枚数が３０枚以下であると制御部１５により判断された場合には（ＳＴＥＰ８の「ＮＯ」）、５０円硬貨については引渡処理を行わない。一方、収納繰出部３４に収納されている５０円硬貨の枚数が３０枚よりも多いと制御部１５により判断された場合には（ＳＴＥＰ８の「ＹＥＳ」）、各収納繰出部３４に収納されている１円硬貨、５円硬貨、１０円硬貨および５０円硬貨の合計金額が記憶部４７に記憶されている５０円硬貨の累計残置金額（すなわち、３，０００円）以上となるように、所定枚数の５０円硬貨を各収納繰出部３４に残してそれ以外の５０円硬貨を貨幣収納部４０の硬貨回収カセット４２に送る（ＳＴＥＰ９）。より詳細には、収納繰出部３４に収納されている１円硬貨、５円硬貨および１０円硬貨の枚数がそれぞれ金種毎残置枚数である場合には、３０枚（金種毎残置枚数）の５０円硬貨を収納繰出部３４に残してそれ以外の５０円硬貨を貨幣収納部４０の硬貨回収カセット４２に送るようにする。一方、収納繰出部３４に収納されている１円硬貨、５円硬貨および１０円硬貨のうち少なくともいずれかの枚数が金種毎残置枚数よりも少ない場合には、３１枚以上の５０円硬貨を収納繰出部３４に残してそれ以外の５０円硬貨を貨幣収納部４０の硬貨回収カセット４２に送るようになる。この場合には、１円硬貨、５円硬貨および１０円硬貨のいずれかについては収納繰出部３４に収納されている枚数が金種毎残置枚数よりも少なくなるが、各収納繰出部３４に収納されている１円硬貨、５円硬貨、１０円硬貨および５０円硬貨の合計金額が、１円硬貨、５円硬貨、１０円硬貨および５０円硬貨の各々の金種毎残置金額の合計値以上となる。また、上述した所定枚数の５０円硬貨を収納繰出部３４に残してそれ以外の５０円硬貨を全て貨幣収納部４０の硬貨回収カセット４２に送ったときに各収納繰出部２７、３４に収納されている紙幣や硬貨の合計金額が記憶部４７に記憶されている残置合計金額よりも少なくなってしまう場合には、各収納繰出部２７、３４に収納されている紙幣や硬貨の合計金額が記憶部４７に記憶されている残置合計金額と同じかこの残置合計金額をわずかに上回るようになるような枚数（０枚を含む）の５０円硬貨を収納繰出部３４から貨幣収納部４０の硬貨回収カセット４２に送るようにする。
【００６３】
次に、収納繰出部３４に収納されている１００円硬貨の枚数が記憶部４７に記憶されている１００円硬貨の金種毎残置枚数（すなわち、１２０枚）よりも多いか否かが制御部１５により判断される（ＳＴＥＰ１０）。収納繰出部３４に収納されている１００円硬貨の枚数が１２０枚以下であると制御部１５により判断された場合には（ＳＴＥＰ１０の「ＮＯ」）、１００円硬貨については引渡処理を行わない。一方、収納繰出部３４に収納されている１００円硬貨の枚数が１２０枚よりも多いと制御部１５により判断された場合には（ＳＴＥＰ１０の「ＹＥＳ」）、各収納繰出部３４に収納されている１円硬貨、５円硬貨、１０円硬貨、５０円硬貨および１００円硬貨の合計金額が記憶部４７に記憶されている１００円硬貨の累計残置金額（すなわち、１５，０００円）以上となるように、所定枚数の１００円硬貨を各収納繰出部３４に残してそれ以外の１００円硬貨を貨幣収納部４０の硬貨回収カセット４２に送る（ＳＴＥＰ１１）。より詳細には、収納繰出部３４に収納されている１円硬貨、５円硬貨、１０円硬貨および５０円硬貨の枚数がそれぞれ金種毎残置枚数である場合には、１２０枚（金種毎残置枚数）の１００円硬貨を収納繰出部３４に残してそれ以外の１００円硬貨を貨幣収納部４０の硬貨回収カセット４２に送るようにする。一方、収納繰出部３４に収納されている１円硬貨、５円硬貨、１０円硬貨および５０円硬貨のうち少なくともいずれかの枚数が金種毎残置枚数よりも少ない場合には、１２１枚以上の１００円硬貨を収納繰出部３４に残してそれ以外の１００円硬貨を貨幣収納部４０の硬貨回収カセット４２に送るようになる。この場合には、１円硬貨、５円硬貨、１０円硬貨および５０円硬貨のいずれかについては収納繰出部３４に収納されている枚数が金種毎残置枚数よりも少なくなるが、各収納繰出部３４に収納されている１円硬貨、５円硬貨、１０円硬貨、５０円硬貨および１００円硬貨の合計金額が、１円硬貨、５円硬貨、１０円硬貨、５０円硬貨および１００円硬貨の各々の金種毎残置金額の合計値以上となる。また、上述した所定枚数の１００円硬貨を収納繰出部３４に残してそれ以外の１００円硬貨を全て貨幣収納部４０の硬貨回収カセット４２に送ったときに各収納繰出部２７、３４に収納されている紙幣や硬貨の合計金額が記憶部４７に記憶されている残置合計金額よりも少なくなってしまう場合には、各収納繰出部２７、３４に収納されている紙幣や硬貨の合計金額が記憶部４７に記憶されている残置合計金額と同じかこの残置合計金額をわずかに上回るようになるような枚数（０枚を含む）の１００円硬貨を収納繰出部３４から貨幣収納部４０の硬貨回収カセット４２に送るようにする。
【００６４】
次に、収納繰出部３４に収納されている５００円硬貨の枚数が記憶部４７に記憶されている５００円硬貨の金種毎残置枚数（すなわち、３０枚）よりも多いか否かが制御部１５により判断される（ＳＴＥＰ１２）。収納繰出部３４に収納されている５００円硬貨の枚数が３０枚以下であると制御部１５により判断された場合には（ＳＴＥＰ１２の「ＮＯ」）、５００円硬貨については引渡処理を行わない。一方、収納繰出部３４に収納されている５００円硬貨の枚数が３０枚よりも多いと制御部１５により判断された場合には（ＳＴＥＰ１２の「ＹＥＳ」）、各収納繰出部３４に収納されている１円硬貨、５円硬貨、１０円硬貨、５０円硬貨、１００円硬貨および５００円硬貨の合計金額が記憶部４７に記憶されている５００円硬貨の累計残置金額（すなわち、３０，０００円）以上となるように、所定枚数の５００円硬貨を各収納繰出部３４に残してそれ以外の５００円硬貨を貨幣収納部４０の硬貨回収カセット４２に送る（ＳＴＥＰ１３）。より詳細には、収納繰出部３４に収納されている１円硬貨、５円硬貨、１０円硬貨、５０円硬貨および１００円硬貨の枚数がそれぞれ金種毎残置枚数である場合には、３０枚（金種毎残置枚数）の５００円硬貨を収納繰出部３４に残してそれ以外の５００円硬貨を貨幣収納部４０の硬貨回収カセット４２に送るようにする。一方、収納繰出部３４に収納されている１円硬貨、５円硬貨、１０円硬貨、５０円硬貨および１００円硬貨のうち少なくともいずれかの枚数が金種毎残置枚数よりも少ない場合には、３１枚以上の５００円硬貨を収納繰出部３４に残してそれ以外の５００円硬貨を全て貨幣収納部４０の硬貨回収カセット４２に送るようになる。この場合には、１円硬貨、５円硬貨、１０円硬貨、５０円硬貨および１００円硬貨のいずれかについては収納繰出部３４に収納されている枚数が金種毎残置枚数よりも少なくなるが、各収納繰出部３４に収納されている１円硬貨、５円硬貨、１０円硬貨、５０円硬貨、１００円硬貨および５００円硬貨の合計金額が、１円硬貨、５円硬貨、１０円硬貨、５０円硬貨、１００円硬貨および５００円硬貨の各々の金種毎残置金額の合計値以上となる。また、上述した所定枚数の５００円硬貨を収納繰出部３４に残してそれ以外の５００円硬貨を貨幣収納部４０の硬貨回収カセット４２に送ったときに各収納繰出部２７、３４に収納されている紙幣や硬貨の合計金額が記憶部４７に記憶されている残置合計金額よりも少なくなってしまう場合には、各収納繰出部２７、３４に収納されている紙幣や硬貨の合計金額が記憶部４７に記憶されている残置合計金額と同じかこの残置合計金額をわずかに上回るようになるような枚数（０枚を含む）の５００円硬貨を収納繰出部３４から貨幣収納部４０の硬貨回収カセット４２に送るようにする。
【００６５】
次に、収納繰出部２７に収納されている千円紙幣の枚数が記憶部４７に記憶されている千円紙幣の金種毎残置枚数（すなわち、７０枚）よりも多いか否かが制御部１５により判断される（ＳＴＥＰ１４）。収納繰出部２７に収納されている千円紙幣の枚数が７０枚以下であると制御部１５により判断された場合には（ＳＴＥＰ１４の「ＮＯ」）、千円紙幣については引渡処理を行わない。この場合には、各収納繰出部２７に収納されている千円以外の金種の紙幣（具体的には、二千円紙幣、五千円紙幣および一万円紙幣）の引渡処理が行われるようになる。一方、収納繰出部２７に収納されている千円紙幣の枚数が７０枚よりも多いと制御部１５により判断された場合には（ＳＴＥＰ１４の「ＹＥＳ」）、各収納繰出部２７、３４に収納されている１円硬貨、５円硬貨、１０円硬貨、５０円硬貨、１００円硬貨、５００円硬貨および千円紙幣の合計金額が記憶部４７に記憶されている残置合計金額（すなわち、１００，０００円）以上となるように、所定枚数の千円紙幣を各収納繰出部２７に残してそれ以外の千円紙幣および他の金種の紙幣を貨幣収納部４０の紙幣回収カセット４１に送る（ＳＴＥＰ１５）。より詳細には、収納繰出部３４に収納されている１円硬貨、５円硬貨、１０円硬貨、５０円硬貨、１００円硬貨および５００円硬貨の枚数がそれぞれ金種毎残置枚数である場合には、７０枚（金種毎残置枚数）の千円紙幣を収納繰出部２７に残してそれ以外の千円紙幣および他の金種の紙幣を貨幣収納部４０の紙幣回収カセット４１に送るようにする。一方、収納繰出部３４に収納されている１円硬貨、５円硬貨、１０円硬貨、５０円硬貨、１００円硬貨および５００円硬貨のうち少なくともいずれかの枚数が金種毎残置枚数よりも少ない場合には、７１枚以上の千円紙幣を収納繰出部２７に残してそれ以外の千円紙幣および他の金種の紙幣を貨幣収納部４０の紙幣回収カセット４１に送るようになる。この場合には、１円硬貨、５円硬貨、１０円硬貨、５０円硬貨、１００円硬貨および５００円硬貨のいずれかについては収納繰出部３４に収納されている枚数が金種毎残置枚数よりも少なくなるが、各収納繰出部２７、３４に収納されている１円硬貨、５円硬貨、１０円硬貨、５０円硬貨、１００円硬貨、５００円硬貨および千円紙幣の合計金額が残置合計金額以上となる。また、上述した所定枚数の千円紙幣を収納繰出部２７に残してそれ以外の千円紙幣および他の金種の紙幣を貨幣収納部４０の紙幣回収カセット４１に送ったときに各収納繰出部２７、３４に収納されている紙幣や硬貨の合計金額が記憶部４７に記憶されている残置合計金額よりも少なくなってしまう場合には、各収納繰出部２７、３４に収納されている紙幣や硬貨の合計金額が記憶部４７に記憶されている残置合計金額と同じかこの残置合計金額をわずかに上回るようになるような枚数（０枚を含む）の千円紙幣および他の金種の紙幣を収納繰出部３４から貨幣収納部４０の紙幣回収カセット４１に送るようにする。
【００６６】
このように、本実施の形態では、制御部１５は、紙幣や硬貨の入金処理が行われる際に、各収納繰出部２７、３４に収納されている紙幣や硬貨の合計金額が記憶部４７に記憶されている残置合計金額よりも多い場合において、金額が小さい金種から順に収納繰出部２７、３４に収納されている紙幣や硬貨の枚数が記憶部４７に記憶されている金種毎残置枚数以上であるか否かを判定し（ＳＴＥＰ２、４、６、８、１０、１２、１４）、収納繰出部２７、３４に収納されている紙幣や硬貨の枚数が記憶部４７に記憶されている金種毎残置枚数よりも多いときに当該収納繰出部２７、３４に対応する金種に係る紙幣や硬貨の引渡処理を行うようになっている（ＳＴＥＰ３、５、７、９、１１、１３、１５）。また、制御部１５は、紙幣や硬貨の入金処理が行われる際に、各収納繰出部２７、３４に収納されている紙幣や硬貨の合計金額が記憶部４７に記憶されている残置合計金額よりも多い場合において、ある金種に対応する収納繰出部３４に収納されている硬貨の枚数が記憶部４７に記憶されている金種毎残置枚数よりも少ないときには（ＳＴＥＰ２、４、６、８、１０、１２の「ＮＯ」）、各収納繰出部２７、３４に収納されている当該金種の硬貨およびこの金種よりも金額が大きい他の１または複数の金種の紙幣や硬貨の合計金額が所定金額以上となるように他の１または複数の金種の紙幣や硬貨の引渡処理を行うようになっている。ここで、所定金額は、ある金種およびこの金種よりも金額が大きい他の１または複数の金種について、記憶部４７に記憶されている各金種に対応する金種毎残置枚数と当該金種の金額とを掛けた値である金種毎残置金額の合計値である。具体的に説明すると、例えば収納繰出部３４に収納されている１円硬貨の枚数が１０枚であり記憶部４７に記憶されている金種毎残置枚数（すなわち、５０枚）よりも少ないときには、この１円硬貨よりも金種が大きい５円硬貨については金種毎残置枚数である３０枚ではなく３８枚の５円硬貨が収納繰出部３４に残るよう、それ以外の５円硬貨の引渡処理が行われる。この場合には、紙幣や硬貨の引渡処理が行われた後に収納繰出部３４に収納されている１円硬貨の枚数が金種毎残置枚数よりも少なくなるが、各収納繰出部３４に収納されている１円硬貨および５円硬貨の合計金額が１円硬貨および５円硬貨の各々の金種毎残置金額の合計値以上なるため、貨幣処理機１０から釣銭準備金としての貨幣が出金される際に、ある配送ドライバーについて５枚の１円硬貨の代わりに１枚の５円硬貨を払い出すことができ、よって配送ドライバーに渡される釣銭準備金としての貨幣の合計金額が１万円よりも少なくなってしまうことを防止することができる。また、このような場合でもその後に他の配送ドライバーによる紙幣や硬貨の入金処理が引き続き行われることにより、収納繰出部３４に収納されている１円硬貨の枚数を金種毎残置枚数に近づけることができるようになる。
【００６７】
なお、上記の説明では、貨幣処理機１０において紙幣や硬貨の入金処理が行われた後に紙幣や硬貨の引渡処理が行われるような例について述べたが、本実施の形態はこのような例に限定されることはない。例えば、制御部１５は、紙幣投入口２１や硬貨投入口３１に投入された紙幣や硬貨を各収納繰出部２７、３４に送るような紙幣や硬貨の入金処理の途中で、各収納繰出部２７、３４に収納されている紙幣や硬貨の合計金額が記憶部４７に記憶されている残置合計金額（すなわち、１０万円）よりも多くなった場合に、紙幣投入口２１や硬貨投入口３１から貨幣収納部４０の紙幣回収カセット４１や硬貨回収カセット４２に直接送るような処理が引き続き行われるようになっていてもよい。具体的には、紙幣投入口２１や硬貨投入口３１に投入された紙幣や硬貨を各収納繰出部２７、３４に送るような紙幣や硬貨の入金処理の途中で、各収納繰出部２７、３４に収納されている紙幣や硬貨の合計金額が記憶部４７に記憶されている残置合計金額（すなわち、１０万円）よりも多くなった場合において、各収納繰出部２７、３４に収納されている紙幣や硬貨の枚数が記憶部４７に記憶されている金種毎残置枚数以上であるときには、紙幣投入口２１や硬貨投入口３１に投入された紙幣や硬貨は識別部２６、３５ａにより識別された後に各収納繰出部２７、３４に送られないで貨幣収納部４０の紙幣回収カセット４１や硬貨回収カセット４２に直接送られるようになる。一方、ある金種に対応する収納繰出部３４に収納されている硬貨の枚数が記憶部４７に記憶されている金種毎残置枚数よりも少ないときには、紙幣投入口２１や硬貨投入口３１に投入され識別部２６、３５ａにより識別された紙幣や硬貨のうち、各収納繰出部２７、３４に収納されている当該金種の硬貨およびこの金種よりも金額が大きい他の１または複数の金種の紙幣や硬貨の合計金額が所定金額以上となるような枚数分の他の１または複数の金種の紙幣や硬貨が各収納繰出部２７、３４に送られ、残りの紙幣や硬貨は各収納繰出部２７、３４に送られないで貨幣収納部４０の紙幣回収カセット４１や硬貨回収カセット４２に直接送られるようになる。ここで、所定金額は、上述したように、ある金種およびこの金種よりも金額が大きい他の１または複数の金種について、記憶部４７に記憶されている各金種に対応する金種毎残置枚数と当該金種の金額とを掛けた値である金種毎残置金額の合計値である。
【００６８】
また、更に別の例として、制御部１５は、紙幣投入口２１や硬貨投入口３１に投入された紙幣や硬貨を各収納繰出部２７、３４に送るような紙幣や硬貨の入金処理の途中で、各入金一時保留部５０、５２に紙幣や硬貨が一時的に保留された後、各収納繰出部２７、３４に収納されている紙幣や硬貨の合計金額が記憶部４７に記憶されている残置合計金額（すなわち、１０万円）よりも多い場合に、各入金一時保留部５０、５２から貨幣収納部４０の紙幣回収カセット４１や硬貨回収カセット４２に直接送るような処理が引き続き行われるようになっていてもよい。具体的には、紙幣や硬貨の入金処理において各入金一時保留部５０、５２に紙幣や硬貨が一時的に保留された後、各収納繰出部２７、３４に収納されている紙幣や硬貨の合計金額が記憶部４７に記憶されている残置合計金額（すなわち、１０万円）よりも多い場合において、各収納繰出部２７、３４に収納されている紙幣や硬貨の枚数が記憶部４７に記憶されている金種毎残置枚数以上であるときには、各入金一時保留部５０、５２に保留されている紙幣や硬貨は各収納繰出部２７、３４に送られないで貨幣収納部４０の紙幣回収カセット４１や硬貨回収カセット４２に直接送られるようになる。一方、ある金種に対応する収納繰出部３４に収納されている硬貨の枚数が記憶部４７に記憶されている金種毎残置枚数よりも少ないときには、各入金一時保留部５０、５２に一時的に保留されている紙幣や硬貨のうち、各収納繰出部２７、３４に収納されている当該金種の硬貨およびこの金種よりも金額が大きい他の１または複数の金種の紙幣や硬貨の合計金額が所定金額以上となるような枚数分の他の１または複数の金種の紙幣や硬貨が各収納繰出部２７、３４に送られ、残りの紙幣や硬貨は各収納繰出部２７、３４に送られないで貨幣収納部４０の紙幣回収カセット４１や硬貨回収カセット４２に直接送られるようになる。ここで、所定金額は、上述したように、ある金種およびこの金種よりも金額が大きい他の１または複数の金種について、記憶部４７に記憶されている各金種に対応する金種毎残置枚数と当該金種の金額とを掛けた値である金種毎残置金額の合計値である。
【００６９】
以上のように、本実施の形態の貨幣処理機１０やこのような貨幣処理機１０による貨幣処理方法によれば、記憶部４７には、各収納繰出部２７、３４に残置されるべき貨幣の合計金額である残置合計金額および各収納繰出部２７、３４に残置されるべき貨幣の金種毎の枚数である金種毎残置枚数に係る情報が記憶されるようになっている。また、貨幣の入金処理が行われる際に、各収納繰出部２７、３４に収納されている貨幣の合計金額が記憶部４７に記憶されている残置合計金額よりも多い場合に、各収納繰出部２７、３４に収納されている貨幣の合計金額が記憶部４７に記憶されている残置合計金額と略同一（より詳細には、残置合計金額と同一または残置合計金額よりもわずかに大きな金額）になり、かつ各収納繰出部２７、３４に収納されている貨幣の枚数が記憶部４７に記憶されている金種毎残置枚数に近づくように、紙幣投入口２１や硬貨投入口３１（投入部）、各収納繰出部２７、３４または各入金一時保留部５０、５２から貨幣収納部４０（回収部）の紙幣回収カセット４１や硬貨回収カセット４２に貨幣を送る貨幣送り処理が行われるようになっている。この場合には、貨幣の入金処理が行われる度に、所定の残置合計金額の貨幣を各収納繰出部２７、３４に残し、それ以外の貨幣を貨幣収納部４０の紙幣回収カセット４１や硬貨回収カセット４２に送ることにより、貨幣を貨幣収納部４０の紙幣回収カセット４１や硬貨回収カセット４２に送る貨幣送り処理をこまめに行うことができるようになる。このため、毎回の貨幣の引渡処理等の貨幣送り処理にかかる時間を短縮することができるとともに各収納繰出部２７、３４に収納される貨幣の量を減らすことができるようになる。
【００７０】
より詳細に説明すると、従来の貨幣処理機では、回収されるべき貨幣を各収納繰出部から回収カセットに送る処理は一日の業務終了時などにまとめて行われていた。この場合には、一日の業務が終了するまでに各収納繰出部に収納される貨幣の量が多くなってしまい、よって店舗側で管理すべき貨幣の量が多くなってしまうという問題があった。具体的には、このような貨幣処理機においてエラーが発生した場合に、各収納繰出部に収納されている貨幣を全て一旦出金し、エラー解除後に出金された貨幣を入金して各収納繰出部に収納させるという動作が行われるが、各収納繰出部に収納される貨幣の量が多い場合にはこのような動作を行うのに時間がかかるという問題がある。また、一日の業務が終了した時点における各収納繰出部に収納される貨幣の量が多い場合には、一日の業務終了時に行われる、回収されるべき貨幣を各収納繰出部から回収カセットに送るような引渡処理に時間がかかるという問題があった。これに対し、本実施の形態による貨幣処理機１０や貨幣処理方法では、貨幣の入金処理が行われる度に、所定の残置合計金額の貨幣を各収納繰出部２７、３４に残し、それ以外の貨幣を貨幣収納部４０の紙幣回収カセット４１や硬貨回収カセット４２に送ることにより、貨幣を貨幣収納部４０の紙幣回収カセット４１や硬貨回収カセット４２に送る貨幣送り処理をこまめに行うことができるようになるため、このような従来の貨幣処理機の問題を解消することができるようになる。
【００７１】
また、本実施の形態の貨幣処理機１０やこのような貨幣処理機１０による貨幣処理方法によれば、貨幣の入金処理が行われる際に、各収納繰出部２７、３４に収納されている貨幣の合計金額が記憶部４７に記憶されている残置合計金額よりも多い場合においてのみ、紙幣投入口２１や硬貨投入口３１（投入部）、各収納繰出部２７、３４または各入金一時保留部５０、５２から貨幣収納部４０の紙幣回収カセット４１や硬貨回収カセット４２に貨幣を送る貨幣送り処理が行われるため、貨幣処理機１０から釣銭準備金としての貨幣が出金される際に配送ドライバー等の操作者に渡される貨幣の金額が所定金額（具体的には、１万円）より少なくなってしまうことを防止することができる。このため、貨幣処理機１０から釣銭準備金としての貨幣が出金される際に貨幣の金種毎の枚数が所定の枚数構成から変わることはあっても出金される貨幣の金額が不足してしまうことはない。また、複数の配送ドライバーによって貨幣の入金処理がそれぞれ行われることにより、ある金種の貨幣について収納繰出部２７、３４に収納されている枚数が金種毎残置枚数よりも少ない場合でも、貨幣の入金処理が行われる度に、収納繰出部に収納されている当該金種の貨幣の枚数を金種毎残置枚数に近づけることができるようになる。
【００７２】
なお、本実施の形態による貨幣処理機や貨幣処理方法は、上記の態様に限定されることはなく、様々な変更を加えることができる。
【００７３】
例えば、本実施の形態による貨幣処理機は、紙幣処理装置２０および硬貨処理装置３０を組み合わせたものに限定されることはない。本実施の形態による貨幣処理機として、紙幣処理装置２０のみが単体で用いられるようになっていてもよく、あるいは硬貨処理装置３０のみが単体で用いられるようになっていてもよい。
【００７４】
また、本実施の形態による貨幣処理機は、貨幣の入金処理および出金処理の両方を行うものに限定されることはない。本実施の形態による貨幣処理機として、紙幣処理装置や硬貨処理装置に紙幣返却口や硬貨返却口が設けられておらず貨幣の出金処理が行われないような入金専用機が用いられてもよい。
【００７５】
また、本実施の形態による貨幣処理機として、紙幣処理装置や硬貨処理装置に入金一時保留部が設けられないようなものが用いられてもよい。このような貨幣処理機では、紙幣処理装置や硬貨処理装置において紙幣や硬貨の入金処理が行われる際に紙幣投入口や硬貨投入口に投入された紙幣や硬貨は識別部により識別された後に各収納繰出部に直接送られるようになる。
【００７６】
また、図１等に示すような貨幣処理機１０に外部装置として上位端末が通信可能に接続されており、上位端末に設けられた制御部が貨幣処理機１０に設けられた制御部１５と同様の機能を果たすようになっていてもよい。すなわち、上位端末に設けられた制御部から貨幣処理機１０の制御部１５に指令信号が送られることにより、貨幣処理機１０において貨幣の入金処理が行われる際に、各収納繰出部２７、３４に収納されている貨幣の合計金額が記憶部４７に記憶されている残置合計金額よりも多い場合に、各収納繰出部２７、３４に収納されている貨幣の合計金額が記憶部４７に記憶されている残置合計金額と略同一になり、かつ各収納繰出部２７、３４に収納されている貨幣の枚数が記憶部４７に記憶されている金種毎残置枚数に近づくように、紙幣投入口２１や硬貨投入口３１（投入部）、各収納繰出部２７、３４または各入金一時保留部５０、５２から貨幣収納部４０の紙幣回収カセット４１や硬貨回収カセット４２（回収部）に貨幣を送る貨幣送り処理が行われるようになっていてもよい。また、上位端末に設けられた記憶部に、各収納繰出部２７、３４に残置されるべき貨幣の合計金額である残置合計金額および各収納繰出部２７、３４に残置されるべき貨幣の金種毎の枚数である金種毎残置枚数に係る情報が記憶されるようになっていてもよい。この場合には、このような上位端末等の外部装置の制御部や記憶部も、本発明に係る貨幣処理機に含まれるものとする。
【００７７】
また、本発明に係る貨幣処理機として、図８乃至図１０に示すような硬貨釣銭機１００、紙幣釣銭機２００およびＰＯＳレジスタ３００が用いられるようになっていてもよい。図８乃至図１０に示すような硬貨釣銭機１００、紙幣釣銭機２００およびＰＯＳレジスタ３００は、スーパーマーケットやコンビニエンスストア等の店舗における顧客が立ち入ることができるフロント領域に設けられたレジカウンター等の精算所に設置されるようになっている。顧客がこのような精算所で精算処理を行う際に、店員は、顧客から受け取った商品の代金としての貨幣を硬貨釣銭機１００や紙幣釣銭機２００に入金したり、釣銭としての貨幣を硬貨釣銭機１００や紙幣釣銭機２００から出金して顧客に返却したりするようになっている。ここで、硬貨釣銭機１００および紙幣釣銭機２００は、それぞれ硬貨や紙幣の入出金処理を行うようになっている。また、図８に示すように、硬貨釣銭機１００および紙幣釣銭機２００は左右方向に並べて配置される。そして、ＰＯＳレジスタ３００は、硬貨釣銭機１００および紙幣釣銭機２００の上方に配置される。以下、硬貨釣銭機１００および紙幣釣銭機２００をまとめて貨幣釣銭機ともいう。また、ＰＯＳレジスタ３００は、貨幣釣銭機（具体的には、硬貨釣銭機１００および紙幣釣銭機２００）の管理を行う管理装置として機能するようになる。
【００７８】
以下、硬貨釣銭機１００、紙幣釣銭機２００およびＰＯＳレジスタ３００の各々の構成について図８乃至図１０を用いて詳述する。なお、図８は、本発明の他の構成例に係る貨幣釣銭機およびＰＯＳレジスタ３００の外観を示す斜視図であり、図９は、図８に示す貨幣釣銭機およびＰＯＳレジスタ３００の構成の概略を示す概略構成図であり、図１０は、図８に示す貨幣釣銭機およびＰＯＳレジスタ３００の制御系の構成を示す機能ブロック図である。
【００７９】
まず、硬貨釣銭機１００の構成について具体的に説明する。図８および図９に示すように、硬貨釣銭機１００は、前部上面にタッチパネル等の操作表示部１１２が設けられた筐体１１０を備えている。なお、図８および図１０に示す例では、操作表示部１１２が硬貨釣銭機１００に設けられている場合についての態様について述べたが、このような例に限定されることはない。本実施の形態による貨幣釣銭機の他の例として、硬貨釣銭機ではなく紙幣釣銭機に操作表示部が設けられていてもよく、あるいは硬貨釣銭機および紙幣釣銭機の両方に操作表示部がそれぞれ設けられていてもよい。また、筐体１１０の前部には硬貨受入部１１４および硬貨払出部１１６がそれぞれ設けられている。
【００８０】
また、図９に示すように、この硬貨受入部１１４には、当該硬貨受入部１１４により機体内に取り込まれた硬貨を搬送する入金搬送部１０３が接続されている。ここで、硬貨受入部１１４には、当該硬貨受入部１１４に投入された硬貨を１枚ずつ入金搬送部１０３に繰り出す繰出部として搬送ベルト等が設けられている。また、硬貨受入部１１４には、当該硬貨受入部１１４内に硬貨が残留するか否かを検知する光センサ等の残留検知センサ１１４ａ（図９参照）が設けられている。そして、硬貨釣銭機１００において硬貨の入金処理が行われる際に、硬貨受入部１１４内に硬貨が存在することが残留検知センサ１１４ａにより検知されると繰出部としての搬送ベルトが駆動され、硬貨受入部１１４に受け入れられた硬貨が１枚ずつ搬送ベルトにより入金搬送部１０３に繰り出されるようになる。
【００８１】
図９に示すように、入金搬送部１０３の途中箇所には、硬貨の金種、真偽、正損、新旧、搬送状態等の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を入金搬送部１０３から出金搬送部１０８に分岐させるようになっている。
【００８２】
一方、正常硬貨等の機体内に収納されるべき硬貨は入金搬送部１０３により各硬貨収納部１０６へ搬送されるようになっている。各硬貨収納部１０６は硬貨を金種別に収納するようになっている。具体的には、例えば入金搬送部１０３の上流側から高額順に硬貨が収納される。
【００８３】
出金搬送部１０８は、各硬貨収納部１０６から繰り出された硬貨を硬貨払出部１１６へ搬送するようになっている。また、出金搬送部１０８は、分岐部１０４により入金搬送部１０３から分岐させられたリジェクト硬貨等も硬貨払出部１１６へ搬送するようになっている。
【００８４】
図９に示すように、硬貨払出部１１６の底部には開口が設けられており、この開口は図示しない開閉部材により開閉自在となっている。また、硬貨払出部１１６の底部に設けられた開口の近傍には、硬貨回収袋１１９（図８参照）が取り付けられる袋取付部１１８が設けられている。硬貨払出部１１６の底部に設けられた開口が開かれ、袋取付部１１８に硬貨回収袋１１９が取り付けられると、出金搬送部１０８から硬貨払出部１１６に送られた硬貨は当該硬貨払出部１１６に集積されることなく硬貨回収袋１１９に収納されるようになる。
【００８５】
次に、紙幣釣銭機２００の構成について具体的に説明する。図８および図９に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４および紙幣回収カセット２０７が、周回搬送部２０３ａを外側から取り囲むように配置されている。
【００８６】
また、紙幣釣銭機２００の筐体２１０の内部には、紙幣受入部２１４、各紙幣収納部２０６、紙幣払出部２１６、出金リジェクト部２０４および紙幣回収カセット２０７の各々と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の金種、真偽、正損、新旧、搬送状態等の識別を行うようになっている。
【００８７】
また、周回搬送部２０３ａと各接続搬送部２０３ｂとの間で紙幣の搬送経路を切り換える経路切換部（図示せず）が、周回搬送部２０３ａに沿って配置されている。
【００８８】
図２および図３に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に設置されている。
【００８９】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより筐体２１０の外部へ放出するようになっている。
【００９０】
出金リジェクト部２０４は、紙幣の出金処理が行われる際に紙幣収納部２０６から繰り出された紙幣のうち、斜行等の搬送異常により紙幣識別部２０１で正常に識別することができない紙幣を出金リジェクト紙幣として収納する。また、紙幣受入部２１４から機体内に取り込まれた紙幣のうち、汚損等により紙幣識別部２０１で正常に識別することができない紙幣は入金リジェクト紙幣として紙幣払出部２１６に返却されるようになっている。
【００９１】
紙幣回収カセット２０７は筐体２１０の前面から引き出すことにより当該筐体２１０の外部に取り出すことができるようになっている。
【００９２】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００９３】
ＰＯＳレジスタ３００のＰＯＳ制御部３３０は、図９に示すように、硬貨釣銭機１００の上位制御部１２０に通信可能に接続されているとともに、店舗サーバ５００にも通信可能に接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００９４】
操作部３０４は、店員が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の在高を表示するようになっている。また、ＰＯＳレジスタ３００には顧客向けの追加の表示部３０２ａが設けられており、様々な情報を表示部３０２に表示させる代わりに、あるいは表示部３０２における表示に加えて、追加の表示部３０２ａにおいて顧客向けの表示が行われるようになっている。また、ＰＯＳレジスタ３００にはカードリーダライタ３３６および印字部３３８が設けられている（図１０参照、図８および図９では図示せず）。カードリーダライタ３３６は、店員のＩＤカードを読み取ることにより店員のＩＤや権限等に関する情報を取得するようになっている。また、印字部３３８は例えばプリンタから構成され、取引内容を印字したり（通常の取引レシート）、硬貨釣銭機１００や紙幣釣銭機２００の在高等の様々な情報を印字したりするようになっている。
【００９５】
また、図８等に示すように、ＰＯＳレジスタ３００には、商品棚に陳列される商品に付されたバーコードの情報を読み取るバーコードスキャナ３５０が設けられている。
【００９６】
図１０は、上述のような構成からなる硬貨釣銭機１００、紙幣釣銭機２００およびＰＯＳレジスタ３００の制御系の構成を示す制御ブロック図である。図１０に示すように、硬貨釣銭機１００の上位制御部１２０には、硬貨釣銭機１００のインターフェース１３２、操作表示部１１２および記憶部１３４がそれぞれ接続されている。この上位制御部１２０は、インターフェース１３２により、紙幣釣銭機２００の紙幣釣銭機制御部２３０およびＰＯＳレジスタ３００のＰＯＳ制御部３３０に対して信号の送受信を行うようになっている。また、店員により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の在高が表示されるようになっている。また、記憶部１３４には、硬貨釣銭機１００や紙幣釣銭機２００における硬貨や紙幣の処理履歴や、硬貨釣銭機１００や紙幣釣銭機２００の在高等の様々な情報が記憶されるようになっている。
【００９７】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６等がそれぞれ接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。
【００９８】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００９９】
また、ＰＯＳレジスタ３００のＰＯＳ制御部３３０には、表示部３０２、操作部３０４、記憶部３３４、インターフェース３３２、カードリーダライタ３３６、印字部３３８等がそれぞれ接続されており、店員によって操作部３０４により入力された指令が当該操作部３０４からＰＯＳ制御部３３０に送られたり、カードリーダライタ３３６により読み取られた店員のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。また、ＰＯＳ制御部３３０は、表示部３０２に様々な情報を表示させる代わりに、あるいは表示部３０２における表示に加えて、追加の表示部３０２ａにおいて顧客向けの表示を行わせるようになっている。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ５００に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の在高等の様々な情報が記憶されるようになっている。
【０１００】
次に、図８乃至図１０に示す硬貨釣銭機１００や紙幣釣銭機２００において硬貨や紙幣の入金処理や出金処理を行う際の動作について以下に説明する。
【０１０１】
まず、硬貨釣銭機１００において硬貨の入金処理を行う場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により入金搬送部１０３から出金搬送部１０８に分岐させられ、当該出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【０１０２】
次に、硬貨釣銭機１００において硬貨の出金処理を行う場合の動作について以下に説明する。硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【０１０３】
次に、紙幣釣銭機２００において紙幣の入金処理が行われる際の動作について説明する。紙幣釣銭機２００の紙幣受入口２１４ａに紙幣が投入されると、紙幣受入部２１４は、紙幣受入口２１４ａに投入された入金紙幣を一括で取り込んで、接続搬送部２０３ｂを介して周回搬送部２０３ａに紙幣を１枚ずつ繰り出す。そして、周回搬送部２０３ａに繰り出された紙幣は当該周回搬送部２０３ａにより搬送され、この際に紙幣識別部２０１により紙幣の識別が行われる。紙幣識別部２０１により識別が行われた紙幣のうち正常な紙幣であると判別された紙幣は、その金種に対応する各紙幣収納部２０６に送られ、これらの紙幣収納部２０６に収納される。具体的には、ある紙幣収納部２０６には千円紙幣が収納され、別の紙幣収納部２０６には二千円紙幣および五千円紙幣が混合状態で収納され、更に別の紙幣収納部２０６には一万円紙幣が収納される。一方、紙幣識別部２０１による識別結果により正常な紙幣ではないと判別された紙幣は入金リジェクト紙幣として周回搬送部２０３ａおよび接続搬送部２０３ｂにより紙幣払出部２１６に搬送され、この紙幣払出部２１６に集積される。そして、紙幣受入口２１４ａに投入された入金紙幣が全て各紙幣収納部２０６または紙幣払出部２１６に送られた後、紙幣払出部２１６に集積された入金リジェクト紙幣が紙幣取出口２１６ａに送られる。このことにより、操作者は、入金リジェクト紙幣を紙幣取出口２１６ａから取り出して紙幣受入部２１４の紙幣受入口２１４ａに再投入することができるようになる。
【０１０４】
次に、紙幣釣銭機２００において紙幣の出金処理が行われる際の動作について以下に説明する。出金される紙幣の合計金額あるいは金種別の枚数等を含む出金処理の開始指令がＰＯＳレジスタ３００の操作部３０４や硬貨釣銭機１００の操作表示部１１２により上位制御部１２０に入力されると、各紙幣収納部２０６に収納されている紙幣が１枚ずつ接続搬送部２０３ｂに繰り出され、この接続搬送部２０３ｂから周回搬送部２０３ａに紙幣が受け渡される。周回搬送部２０３ａに送られた紙幣は当該周回搬送部２０３ａで少なくとも１周回るよう搬送され、この際に紙幣識別部２０１により紙幣の金種、真偽、正損、新旧、搬送状態等の識別が行われる。紙幣識別部２０１により識別が行われた紙幣のうち正常な紙幣であると判別された紙幣は紙幣払出部２１６に搬送され、この紙幣払出部２１６に集積される。一方、紙幣識別部２０１による識別結果により正常な紙幣ではないと判別された紙幣（例えば、重送や斜行等の搬送異常の紙幣）は出金リジェクト紙幣として周回搬送部２０３ａおよび接続搬送部２０３ｂにより出金リジェクト部２０４に搬送され、この出金リジェクト部２０４に集積される。出金リジェクト部２０４に集積された出金リジェクト紙幣は、店舗の店長や管理者等の所定の権限を有する者が紙幣釣銭機２００の筐体２１０から本体部分を手前側に引き出すことにより出金リジェクト部２０４から取り出すことができるようになる。そして、出金されるべき紙幣が各紙幣収納部２０６から紙幣払出部２１６に送られた後、紙幣払出部２１６に集積された紙幣が一括して紙幣取出口２１６ａに送られる。このことにより、操作者は、出金紙幣を紙幣取出口２１６ａから取り出すことができるようになる。
【０１０５】
また、図８乃至図１０に示す貨幣釣銭機では、警送会社等の回収業者が硬貨釣銭機１００や紙幣釣銭機２００から硬貨や紙幣を回収することができるようになっている。また、警送会社等の回収業者により硬貨や紙幣の回収処理が行われる際に、当該回収業者は硬貨釣銭機１００や紙幣釣銭機２００において硬貨や紙幣の引渡処理を行うことができるようになっている。具体的には、硬貨釣銭機１００において硬貨の引渡処理を行うにあたり、まず硬貨払出部１１６の底部に設けられた開口を開くとともに、袋取付部１１８に硬貨回収袋１１９を取り付ける。その後、硬貨収納部１０６に収納されている硬貨が当該硬貨収納部１０６から繰り出され、繰り出された硬貨が出金搬送部１０８により硬貨払出部１１６へ搬送されると、出金搬送部１０８から硬貨払出部１１６に送られた硬貨は当該硬貨払出部１１６に集積されることなく硬貨回収袋１１９に収納されるようになる。また、紙幣釣銭機２００において紙幣の引渡処理を行うにあたり、筐体２１０の内部に紙幣回収カセット２０７を装着させる。その後、各紙幣収納部２０６に収納されている紙幣が１枚ずつ接続搬送部２０３ｂに繰り出され、この接続搬送部２０３ｂから周回搬送部２０３ａに紙幣が受け渡される。そして、周回搬送部２０３ａに送られた紙幣は当該周回搬送部２０３ａで少なくとも１周回るよう搬送され、この際に紙幣識別部２０１により紙幣の金種、真偽、正損、新旧、搬送状態等の識別が行われる。紙幣識別部２０１により識別が行われた紙幣のうち正常な紙幣であると判別された紙幣は紙幣回収カセット２０７に搬送され、この紙幣回収カセット２０７に収納される。
【０１０６】
上述したように図８乃至図１０に示す貨幣釣銭機において硬貨や紙幣の引渡処理が行われた後、警送会社等の回収業者が硬貨釣銭機１００の袋取付部１１８から硬貨回収袋１１９を取り出したり紙幣釣銭機２００の筐体２１０から紙幣回収カセット２０７を取り出したりすることにより、当該回収業者は硬貨や紙幣を硬貨回収袋１１９や紙幣回収カセット２０７ごと回収することができるようになる。
【０１０７】
また、上述したように図８乃至図１０に示す貨幣釣銭機において、図１乃至図７に示す貨幣処理機１０と同様の原理により、硬貨や紙幣の入金処理が行われる度に上述した硬貨や紙幣の引渡処理が行われるようになっていてもよい。具体的には、記憶部１３４には、各硬貨収納部１０６や各紙幣収納部２０６に残置されるべき硬貨や紙幣の合計金額である残置合計金額および各硬貨収納部１０６や各紙幣収納部２０６に残置されるべき硬貨や紙幣の金種毎の枚数である金種毎残置枚数に係る情報が記憶されるようになっている。また、上位制御部１２０は、硬貨や紙幣の入金処理が行われる際に、各硬貨収納部１０６や各紙幣収納部２０６に収納されている硬貨や紙幣の合計金額が記憶部１３４に記憶されている残置合計金額よりも多い場合に、各硬貨収納部１０６や各紙幣収納部２０６に収納されている硬貨や紙幣の合計金額が記憶部１３４に記憶されている残置合計金額と略同一になり、かつ各硬貨収納部１０６や各紙幣収納部２０６に収納されている硬貨や紙幣の枚数が記憶部１３４に記憶されている金種毎残置枚数に近づくように、硬貨受入部１１４や紙幣受入部２１４または各硬貨収納部１０６や各紙幣収納部２０６から硬貨回収袋１１９や紙幣回収カセット２０７（回収部）に硬貨や紙幣を送る貨幣送り処理が行われるようになっている。この場合には、図８乃至図１０に示す貨幣釣銭機において硬貨や紙幣の入金処理が行われる度に、所定の残置合計金額の貨幣を各硬貨収納部１０６や各紙幣収納部２０６に残し、それ以外の貨幣を硬貨回収袋１１９や紙幣回収カセット２０７に送ることにより、硬貨や紙幣を硬貨回収袋１１９や紙幣回収カセット２０７に送る貨幣送り処理をこまめに行うことができるようになる。このため、毎回の貨幣送り処理にかかる時間を短縮することができるとともに各硬貨収納部１０６や各紙幣収納部２０６に収納される硬貨や紙幣の量を減らすことができるようになる。
【０１０８】
なお、図８乃至図１０に示す貨幣釣銭機において、硬貨や紙幣の入金処理が行われる度に硬貨や紙幣の引渡処理を行うにあたり、硬貨釣銭機１００に設けられた上位制御部１２０ではなく、ＰＯＳレジスタ３００に設けられたＰＯＳ制御部３３０が上述した制御と同様の制御を行うようになっていてもよい。すなわち、ＰＯＳレジスタ３００のＰＯＳ制御部３３０から硬貨釣銭機１００の上位制御部１２０に指令信号が送られることにより、貨幣釣銭機において硬貨や紙幣の入金処理が行われる際に、各硬貨収納部１０６や各紙幣収納部２０６に収納されている硬貨や紙幣の合計金額が記憶部１３４に記憶されている残置合計金額よりも多い場合に、各硬貨収納部１０６や各紙幣収納部２０６に収納されている硬貨や紙幣の合計金額が記憶部１３４に記憶されている残置合計金額と略同一になり、かつ各硬貨収納部１０６や各紙幣収納部２０６に収納されている硬貨や紙幣の枚数が記憶部１３４に記憶されている金種毎残置枚数に近づくように、硬貨受入部１１４や紙幣受入部２１４または各硬貨収納部１０６や各紙幣収納部２０６から硬貨回収袋１１９や紙幣回収カセット２０７（回収部）に硬貨や紙幣を送る貨幣送り処理が行われるようになっていてもよい。また、ＰＯＳレジスタ３００に設けられた記憶部３３４に、各硬貨収納部１０６や各紙幣収納部２０６に残置されるべき硬貨や紙幣の合計金額である残置合計金額および各硬貨収納部１０６や各紙幣収納部２０６に残置されるべき硬貨や紙幣の金種毎の枚数である金種毎残置枚数に係る情報が記憶されるようになっていてもよい。この場合には、このようなＰＯＳレジスタ３００のＰＯＳ制御部３３０や記憶部３３４も、本発明に係る貨幣処理機に含まれるものとする。
【符号の説明】
【０１０９】
１０      貨幣処理機
１１      筐体
１５      制御部
２０      紙幣処理装置
２１      紙幣投入口
２２      紙幣リジェクト口
２３      紙幣返却口
２４      扉
２５      搬送部
２６      識別部
２７、２７ａ、２７ｂ、２７ｃ  収納繰出部
２７ｐ    ドラム
２８      紙幣ステージ
２９      紙幣保留部
２９ａ    一時保留板
２９ｂ    押さえ部材
３０      硬貨処理装置
３１      硬貨投入口
３１ａ    シャッタ
３２      硬貨リジェクト口
３３      硬貨繰出部
３４      収納繰出部
３４ａ    出金搬送部
３５      搬送部
３５ａ    識別部
３５ｂ    リジェクト選別部
３５ｃ    オーバーフロー選別部
３６      選別部
３７      出金一時保留部
３８      硬貨返却口
３８ａ    扉
３９      収納シュート
４０      貨幣収納部
４１      紙幣回収カセット
４１ａ    ステージ
４２      硬貨回収カセット
４３      プリンタ
４４      表示部
４５      操作部
４６      カードリーダ
４７      記憶部
４８      通信インターフェース部
５０      入金一時保留部
５０ｐ    ドラム
５２      入金一時保留部
１００    硬貨釣銭機
１０１    硬貨識別部
１０３    入金搬送部
１０４    分岐部
１０６    硬貨収納部
１０８    出金搬送部
１１０    筐体
１１２    操作表示部
１１４    硬貨受入部
１１４ａ  残留検知センサ
１１６    硬貨払出部
１１８    袋取付部
１１９    硬貨回収袋
１２０    上位制御部
１３０    硬貨釣銭機制御部
１３２    インターフェース
１３４    記憶部
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
３００    ＰＯＳレジスタ
３０２    表示部
３０２ａ  追加の表示部
３０４    操作部
３３０    ＰＯＳ制御部
３３２    インターフェース
３３４    記憶部
３３６    カードリーダライタ
３３８    印字部
３５０    バーコードスキャナ
５００    店舗サーバ
【図１】
2018106536.tif 000003
【図２】
2018106536.tif 000004
【図３】
2018106536.tif 000005
【図４】
2018106536.tif 000006
【図５】
2018106536.tif 000007
【図６】
2018106536.tif 000008
【図７】
2018106536.tif 000009
【図８】
2018106536.tif 000010
【図９】
2018106536.tif 000011
【図１０】
2018106536.tif 000012